(57)【特許請求の範囲】
【請求項１】
対象の紅斑値を決定するためのコンピューターベースの方法であって、
画像撮影機器が、前記対象の皮膚領域又は粘膜領域又は結合組織領域の光反射率を測定するステップ、及び
コンピューターが、Ｌ＊ａ＊ｂ＊色空間に従って前記測定のＬ＊値及びａ＊値を取得するステップ、及び
コンピューターが、以下の式：
（Ｌ＊max−Ｌ＊）×ａ＊
に従って紅斑値を算出するステップ
を含む、前記方法。
【請求項２】
紅斑を引き起こす医薬品又は化粧品又はアレルゲンの能力について、その医薬品又は美容品又はアレルゲンを分析するための、又は紅斑の外観を緩和する医薬品又は化粧品の能力について、医薬品又は化粧品を分析に使用するための、請求項１に記載の方法。
【請求項３】
請求項１に記載の方法に、さらに、以下の：
コンピューターが、Ｌ＊ａ＊ｂ＊色空間に従って前記測定のＬ＊値及びｂ＊値を取得するステップ、及び
コンピューターが、以下の式：
（Ｌ＊max−Ｌ＊）×ｂ＊
に従って黄色値を算出するステップ
を含む、対象の皮膚色を分析するための方法。
【請求項４】
対象の創傷又は創傷治癒を文書化又は分析するときに使用される請求項１又は３に記載の方法。
【請求項５】
対象が照射により引き起こされる紅斑を発達させるリスクを評価するための方法であって、
画像撮影機器が、前記光反射率を照射前に計測し、そして
コンピューターが、当該計算された紅斑値をベースライン紅斑値とし、さらに、ベースライン紅斑値を、対象が照射により引き起こされる紅斑を発達させるリスクに相関させるステップを含み、
コンピューターが、対象が照射のために発症する紅斑の強度を予測するためであって、当該光反射率が、照射前に計測され、そして当該計算された紅斑値が、ベースライン紅斑値であり、さらに、ベースライン紅斑値を、対象が照射により引き起こされる紅斑を発達させる紅斑の強度に相関させる工程を含み、
対象が照射により引き起こされる紅斑を発達させるまでの時間を予測するためであって、前記光反射率が、照射前に計測され、そして当該計算された紅斑値が、ベースライン紅斑値であり、さらに、ベースライン紅斑値を、対象が照射により引き起こされる紅斑を発達させるまでの時間に逆相関させる工程を含む、
方法に用いるための、請求項１に記載の方法。
【請求項６】
前記紅斑値が紅斑の強度に相関し、且つ／又は２つ以上の紅斑値の間の傾きが紅斑の発症に相関する、請求項１から５の何れか一項に記載の方法。
【請求項７】
画像撮影機器が、Ｌ＊ａ＊ｂ＊色空間以外の色空間において前記光反射率を測定し、
コンピューターが、前記測定の光反射率値をＬ＊ａ＊ｂ＊色空間の対応する値に変換することによってＬ＊ａ＊ｂ＊色空間に従うＬ＊値及びａ＊値及びｂ＊値を取得する、請求項１から６の何れか一項に記載の方法。
【請求項８】
コンピューターが、前記紅斑値を基準紅斑値と比較して、紅斑を決定する工程をさらに含む、請求項１から７の何れか一項に記載の方法。
【請求項９】
対象の日光黒子又は単純黒子又は悪性黒子又は雀卵斑を分析するときに使用される請求項１に記載の方法。
【請求項１０】
対象の皮膚又は粘膜又は結膜の血腫等級区分及び血腫の発達を経時的に文書化及び分析する際に使用するための；又は対象の皮膚又は粘膜又は結膜の黄疸等級区分及び黄疸発症を経時的に文書化及び分析する際に使用するための、又は対象の皮膚又は粘膜のチアノーゼの程度及びチアノーゼ発症を経時的に文書化及び分析する際に使用するための、請求項１又は３に記載の方法。
【請求項１１】
全てのステップが、携帯機器を用いて行われ、好ましくは当該携帯機器が、光学ヘッドマウントディスプレイを備えたウェアラブルコンピューターであるか、又はタブレット若しくはスマートホンであり；及び/又は好ましくは前記携帯機器が、臨床サービスシステム及び/又は癌放射線照射機器にリンクされている、請求項１〜１０のいずれか一項に記載の方法。
【請求項１２】
さらに、コンピューターが、自動マーカー認識と算出された色値の電光補正のためのカラーコード要素を含む正規化マーカーを同時測定することをさらに含み、好ましくは前記正規化マーカーがステッカー又は絆創膏又はポスターとしてデザインされている、請求項１又は３に記載の方法。
【請求項１３】
前記計測された広範値の正規化が、次の式：
（Ｌ＊max−Ｌ＊）×ａ＊／（ａ＊max×Ｌ＊max）
に従って実行されるか；又は計測された黄色値の正規化が、次の式：
（Ｌ＊max−Ｌ＊）×ｂ＊／（ｂ＊min×Ｌ＊max）
に従って実行される、請求項１２に記載の方法。
【請求項１４】
対象と取得された前記対象の色値との間の割り振り過程を自動化するために前記対象のバーコード又はクイックレスポンスコード又は近距離タグを検出するステップをさらに含む請求項１又は３に記載の方法。
【請求項１５】
前記測定光反射率を好ましくはネットワーク上での伝送により取得することをさらに含み、好ましくは前記光反射率が測定されずに他の方法で取得されるか；及び/又は
前記取得ステップ及び／又は前記算出ステップ、特に前記ステップの全てがウェッブベース又はクラウドベースの処理を用いて実施する、請求項１から１４の何れか一項に記載の方法。
【発明の詳細な説明】
【技術分野】
【０００１】
本発明は客観的且つ定量的な紅斑の文書化と分析のための方法に関する。とりわけ、本発明は、対象の紅斑を評価するための方法であって、その対象の皮膚領域又は粘膜領域の光反射率を測定するステップ、Ｌ*ａ*ｂ*色空間に従って前記測定のＬ*値及びａ*値を取得するステップ、及び式（Ｌ*max−Ｌ*）×ａ*に従って紅斑値を算出するステップを含む前記方法に関する。さらに、本発明は、本発明に従って紅斑値を算出することにより対象が放射線照射によって引き起こされる紅斑を発症する危険性を評価するための方法、放射線照射のために対象が発症する紅斑の強度を予測するための対応的方法、対象が放射線照射によって引き起こされる紅斑を発症するまでの時間を予測するための対応的方法、対象において紅斑を引き起こす、又は治療する医薬調製物又は美容調製物の能力についてその医薬調製物又は美容調製物を検査するための対応的方法、及び対象の紅斑の外観を改善する医薬調製物又は美容調製物の能力についてその医薬調製物又は美容調製物を検査するための対応的方法に関する。本発明はさらに式（Ｌ*max−Ｌ*）×ａ*に基づいて対象の皮膚色を分析するための方法、対象の創傷又は創傷治癒を文書化するための方法又は分析するための方法に関する。別の態様では本発明は式（Ｌ*max−Ｌ*）×ａ*に基づいて食肉を分析する方法に関する。
【背景技術】
【０００２】
皮膚又は粘膜の炎症は多くの場合に紅斑として現れる。紅斑はおむつかぶれ、ニキビ、皮膚炎、湿疹及び他の皮膚又は粘膜の健康状態にしばしば付随する。紅斑の別の例は放射線皮膚炎であり、放射線皮膚炎は電離放射線への長期の曝露に付随する炎症性皮膚反応である。
【０００３】
放射線皮膚炎は化学療法と共に、又は化学療法を受けずに放射線療法を受けているほとんどの患者においてある程度生じる。重篤な事例では放射線皮膚炎によって放射線療法を中止することになる。急性放射線誘導性皮膚炎は最も高頻度で起こる放射線療法の副作用のうちの１つである。その反応の病因学上の原因は放射線照射治療の間（Ｂｅｃｋｍａｎｎ及びＦｌｏｈe、１９８１年）と化学療法の間（Ｋａｓａｐｏｖｉeら、２０１０年）に誘導される大量のＲＯＳ産生に関連づけられている。この電離放射線は患者の９５％に急性皮膚炎を引き起こすことができ、そのうちの患者の８７％において治療中又は治療終了時に中程度から重症の放射線皮膚炎が生じる（ＭｃＱｕｅｓｔｉｏｎ  Ｍ、２００６年）。その皮膚反応の重症度は中程度の紅斑から浮腫又は深在性の潰瘍形成までにわたる。この反応の発生はその治療法に関係する態様（放射線の線質、分割照射線量、累積線量、分割スキーム、治療領域のサイズ、併用されている治療法、放射線治療前の治療法、照射領域の限定）及び患者に関係する態様（皮膚タイプ、放射線への感受性、同時発生中の疾患）に依存する。掻痒、紅斑、皮膚膨満、上皮融解、及び疼痛は生活の質に影響するばかりか、開口創傷の感染症の危険性をももたらす。結果として、これによってＲＴＸの治療中断又は中止、及びその後に計画されていたシステム治療法のしばらくの延期が生じ得る。したがって、これらの皮膚毒性の早期検出、正確な文書化及び治療が非常に重要である。
【０００４】
さらに、放射線療法時に放射線皮膚炎を発症する危険性を予測するために利用可能な信頼できる予後診断パラメーターが現在にいたるまで存在していない。実績データによると、乳房のサイズ、喫煙歴、肥満度指数（ＢＭＩ）並びに糖尿病、リウマチ性関節炎及び高血圧症などの共存症が放射線照射癌治療法の経過中に放射線皮膚炎を発症する危険性の上昇と相関することが疑われている（Ｆｅｒｎａｎｄｏ  ＩＮら、Ｃｌｉｎ  Ｏｎｃｏｌ誌、１９９６年、第８巻、２２６〜２３３頁）。しかしながら、公刊されているデータは対立点がある。最近の乳癌患者における一重ランダム化第ＩＩＩ相盲検によれば、皮膚炎とＢＭＩ又は乳房のサイズとの間には関係性が認められず（Ｐｉｎｎｉｘ  Ｃら、Ｉｎｔ  Ｊ  Ｒａｄｉａｔ  Ｏｎｃｏｌ  Ｂｉｏｌ  Ｐｈｙｓ誌、２０１２年、７月１５日、第８３巻（第４号）：１０８９〜９４頁）、我々のデータによってもそのことが確認された。さらに、我々自身のデータによると放射線照射野のサイズ（ｃｍ2）とフィッツパトリックスケールによる基本的皮膚色（１〜２対３〜４）は第２級の皮膚炎（下でさらに説明されるＣＴＣＡＥに基づく）を発症する危険性と相関しなかった。しかしながら、放射線の線量と照射期間を決定又は適合させることにより放射線皮膚炎を予防又は軽減し、また、予防法及び／又は治療法を処置することが必要になるまでの時間を予測することが予後診断マーカーによって可能になるだろう。
【０００５】
これまで、紅斑は主に医師による主観的な観察によって臨床的に評価されている。例えば、米国腫瘍放射線治療グループ（ＲＴＯＧ）と米国国立癌研究所（ＮＣＩ）によって開発された分類システムである有害事象共通用語基準（ＣＴＣＡＥ第４．０３版）は皮膚反応と他の有害事象を重症度の程度に応じて５つの等級に分けている。この等級区分システムは既に多数の臨床治験において用いられている。しかしながら、前記現行の臨床分類システムの欠点は主に皮膚状態の主観的評価に基づいており、その主観的評価は評価者の間で非常に変わりやすく、１人の評価者の中でも１日の間、又は数日の間に変わることもあり得る。この方法のその他の欠点はたった５つの等級での分類である。したがって、例えば局所的薬物処理の有効性の臨床的比較に必要とされる場合に皮膚状態の微小な差異を充分に表すことができない。
【０００６】
紅斑のより客観的な評価のために幾つかの機器が使用されてきた。例えば、皮膚又は粘膜の紅斑は主に血管拡張とヘモグロビン濃度の局所的増加に起因するので色彩色差計がヘモグロビンの分析に利用されてきた。色彩色差計は色評価のための標準化パラメーターの値であるＬ*、ａ*、ｂ*を提供し、ａ*は「赤色」成分の指標として使用されるので紅斑に関連する。
【０００７】
分光光度計も拡散反射分析法に基づいてヘモグロビンを分析するために使用されており、その分析法によると皮膚からの反射光が分光光度計の分光要素に集められ、分析される。オキシヘモグロビンとデオキシヘモグロビン（紅斑に関連する）を含むクロモフォア濃度を算出するために分光分析アルゴリズムが使用されている。メグザメーターのような様々な光反射率分析機も紅斑指数を提供することで知られている。
【０００８】
皮膚のデジタルカラー画像の分析も紅斑を分析するために活用されている。
【０００９】
そのような方法は例えば米国特許第８１５０５０１号明細書及びＪｕｎｇら、２００５年、Ｌａｓｅｒｓ  ｉｎ  Ｓｕｒｇｅｒｙ  ａｎｄ  Ｍｅｄｉｃｉｎｅ誌、第３７巻、１８６〜１９１頁又は米国特許第８１５０５０１号明細書及びＪｕｎｇら、２００４年、Ｌａｓｅｒｓ  ｉｎ  Ｓｕｒｇｅｒｙ  ａｎｄ  Ｍｅｄｉｃｉｎｅ誌、第３４巻、１７４〜１８１頁に記載されている。
【００１０】
紅斑評価用の別の画像撮影分析ツールはＯｐｔｏＢｉｏＭｅｄ社のＤｅｒｍａＶｉｓｉｏｎシステム（ｈｔｔｐ：／／ｗｗｗ．ｏｐｔｏｂｉｏｍｅｄ．ｃｏ．ｋｒ／；韓国特許出願公開第２００３０８３６２３号明細書も参照のこと）である。
【００１１】
創傷治癒分析ツール（Ｗ．Ｈ．Ａ．Ｔ）は創傷治癒を評価するためのコンピューターベースの方法である（例えばＴ．  Ｗｉｌｄ、Ｍ．  Ｐｒｉｎｚ、Ｎ．  Ｆｏｒｔｎｅｒ、Ｗ．  Ｋｒｏｉｓ、Ｋ．  Ｓａｈｏｒａ、Ｓ．  Ｓｔｒｅｍｉｔｚｅｒ及びＴ．  Ｈｏｅｌｚｅｎｂｅｉｎ（２００８年）．「Ｄｉｇｉｔａｌ  ｍｅａｓｕｒｅｍｅｎｔ  ａｎｄ  ａｎａｌｙｓｉｓ  ｏｆ  ｗｏｕｎｄｓ  ｂａｓｅｄ  ｏｎ  ｃｏｌｏｕｒ  ｓｅｇｍｅｎｔａｔｉｏｎ」、Ｅｕｒｏｐｅａｎ  Ｓｕｒｇｅｒｙ誌、第４０巻（第１号）、５〜１０頁、及びＳ．  Ｓｔｒｅｍｉｔｚｅｒ及びＴ．  Ｗｉｌｄ（２００７年）、「Ｄｉｇｉｔａｌｅ  Ｗｕｎｄａｎａｌｙｓｅ  ｍｉｔ  Ｗ．Ｈ．Ａ．Ｔ．（Ｗｏｕｎｄ  Ｈｅａｌｉｎｇ  Ａｎａｌｙｚｉｎｇ  Ｔｏｏｌ）：Ｍａｎｕａｌ  ｄｅｒ  Ｗｕｎｄｈｅｉｌｕｎｇ．１５〜２２頁、及びｈｔｔｐ：／／ｗｈａｔ−ｔｏｏｌ．ｃｏｍを参照のこと）。Ｗ．Ｈ．Ａ．Ｔシステムは色などのパラメーターのある特定の閾値レベルに基づいており、それらのパラメーターによって創傷部分（例えば、創傷中央部、創傷境界部）の分類とサイズ計測が可能になり、したがって、ある特定の閾値パラメーターによって規定される中央創傷領域のサイズの減少という評価に基づいて創傷治癒を文書化することが可能になる。
【００１２】
Ｎｉｓｃｈｅｋら（ＩＥＥＥ  Ｔｒａｎｓａｃｔｉｏｎｓ  ｏｎ  Ｍｅｄｉｃａｌ  Ｉｍａｇｉｎｇ誌、第１６巻、第６号、１９９７年）はトゥルーカラー画像を使用して皮膚紅斑を分析している。Ｈｉｒｏｔｓｕｇｕ（Ｔｈｅ  Ｊｏｕｒｎａｌ  ｏｆ  Ｍｅｄｉｃａｌ  Ｉｎｖｅｓｔｉｇａｔｉｏｎ誌、第４４巻、１９９８年、１２１〜１２６頁）は皮膚色の測定に使用される方法を開示している。米国特許出願公開第２００５／０３０３７２（Ａｌ）号明細書（Ｊｕｎｇら）は対象の紅斑を評価するための方法を開示している。
【００１３】
上に記載された方法の全てが紅斑又は皮膚の発赤を特定することができ、紅斑領域を明確にすることができる。しかしながら、これらの技法は紅斑強度の評価にはかなりの欠陥を示す。とりわけ、前記先行技術の方法では様々な等級の炎症の信頼できる定量的測定、又は幾つかの強度の紅斑の間での識別が可能とならず、特にそれらの方法は幾分低い又は高い強度の紅斑を考慮に入れていない。したがって、前記先行技術の方法は紅斑とそれに付随する皮膚変化についての全強度範囲にわたる確固とした測定値を提供することもなければ、様々な観察期間にわたって個々の対象又は対象領域を遠隔モニタリングする可能性と紅斑評価及び紅斑文書化をリンクさせる革新的なコンピューター技術を提供することもない。
【発明の概要】
【発明が解決しようとする課題】
【００１４】
以上より、これらの観察者間及び観察者内の可変性の軽減のため、並びに全強度範囲と様々な観察時間にわたる紅斑の程度の高感度で定量的な評価のために新規の客観的方法と革新的なコンピューター評価モニタリングツールが緊急に必要とされている。
【課題を解決するための手段】
【００１５】
第１の態様では本発明は、対象の紅斑を評価するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法に関する。
【００１６】
第２の態様では本発明は、対象が放射線照射によって引き起こされる紅斑を発症する危険性を評価するための方法であって、
−放射線照射の前に対象の皮膚領域又は粘膜領域の光反射率を測定するステップ、
−Ｌ*ａ*ｂ*色空間に従って前記測定のＬ*値及びａ*値を取得するステップ、
−次の式に従ってベースライン紅斑値を算出するステップ
（Ｌ*max−Ｌ*）×ａ*、及び
−前記対象が放射線照射によって引き起こされる紅斑を発症する危険性に前記ベースライン紅斑値を相関させるステップ
を含む前記方法に関する。
【００１７】
第３の態様では本発明は、放射線照射のために対象が発症する紅斑の強度を予測するための方法であって、上記のステップ及び放射線照射のために前記対象が発症する紅斑の強度に前記ベースライン紅斑値を相関させるステップを含む前記方法に関する。
【００１８】
第４の態様では本発明は、対象が放射線照射によって引き起こされる紅斑を発症するまでの時間を予測するための方法であって、上記のステップ及び前記対象が放射線照射によって引き起こされる紅斑を発症するまでの時間に前記ベースライン紅斑値を逆相関させるステップを含む前記方法に関する。
【００１９】
第５の態様では本発明は、対象において紅斑を引き起こす、又は治療する医薬調製物又は美容調製物の能力についてその医薬調製物又は美容調製物を検査するための方法であって、
−前記医薬調製物又は美容調製物の投与前及び投与後に前記対象の皮膚領域又は粘膜領域の光反射率を測定するステップ、
−Ｌ*ａ*ｂ*色空間に従ってそれぞれの測定のＬ*値及びａ*値を取得するステップ、及び
−次の式に従ってそれぞれの測定の紅斑値を算出するステップ
（Ｌ*max−Ｌ*）×ａ*
を含む前記方法に関する。
【００２０】
第６の態様では本発明は、対象の紅斑の外観を改善する医薬調製物又は美容調製物の能力についてその医薬調製物又は美容調製物を検査するための方法であって、上記のステップを含む前記方法に関する。
【００２１】
第７の態様では本発明は、対象の皮膚色を分析するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って皮膚赤色値を算出するステップ
（Ｌ*max−Ｌ*）×ａ*
を含む前記方法に関する。
【図面の簡単な説明】
【００２２】
【図１】Ｌ*ａ*ｂ*色空間のグラフ表示を示す図である。
【図２】大元の写真、及びａ*値と紅斑の視覚化を改善するための新規のアルゴリズムによって算出された紅斑値に基づく擬似グレイスケール画像を示す図である。
【図３Ａ】Ｌ*ａ*ｂ*パラメーター及び治療期間中のそれらのパラメーターの変化を示す図である。
【図３Ｂ】Ｌ*ａ*ｂ*パラメーター及び治療期間中のそれらのパラメーターの変化を示す図である。
【図３Ｃ】Ｌ*ａ*ｂ*パラメーター及び治療期間中のそれらのパラメーターの変化を示す図である。
【図４Ａ】治療期間中の紅斑値（Ａ）及び主観的に評価された放射線皮膚炎等級との相関（Ｂ）を示す図である。
【図４Ｂ】治療期間中の紅斑値（Ａ）及び主観的に評価された放射線皮膚炎等級との相関（Ｂ）を示す図である。
【図５】第２級の放射線皮膚炎の患者集団（Ａ）及び第０〜第１級の放射線皮膚炎の患者集団（Ｂ）について分けられた治療期間中の紅斑値を示す図である。第２級と第３級の閾値紅斑値は主観的紅斑等級区分に基づいて提供されている。
【図６】赤色勾配（Ａ）及びＬ*ａ*ｂ*色空間に従ってチャンネル当たり８ビットの画像に基づいて算出された別形の画像（Ｂ）を示す図である。
【図７】前記色勾配並びに前記赤色勾配の基礎をなすＲＧＢ及びＬ*ａ*ｂ*色空間の全ての値を含む表を示す図である。
【図８】黄色勾配（Ａ）及びＬ*ａ*ｂ*色空間に従ってチャンネル当たり８ビットの画像に基づいて算出された別形の画像（Ｂ）を示す図である。
【図９】前記色勾配並びに前記黄色勾配の基礎をなすＲＧＢ及びＬ*ａ*ｂ*色空間の全ての値を含む表を示す図である。
【図１０Ａ】第Ｉ相治験においてレンズ状母斑（Ｎａｅｖｕｓ  ｌｅｎｔｉｃｕｌａｒｉｓ）領域の紅斑値を分析するための本発明の方法を組み込んでいるソフトウェアアプリケーションの使用（Ａ）と分析された紅斑値の時間依存的変化（Ｂ）を示す図である。
【図１０Ｂ】第Ｉ相治験においてレンズ状母斑（Ｎａｅｖｕｓ  ｌｅｎｔｉｃｕｌａｒｉｓ）領域の紅斑値を分析するための本発明の方法を組み込んでいるソフトウェアアプリケーションの使用（Ａ）と分析された紅斑値の時間依存的変化（Ｂ）を示す図である。
【発明を実施するための形態】
【００２３】
本発明は皮膚領域又は粘膜領域の光反射率の測定と紅斑値を算出するための新規の式を用いることによる前記測定の分析に基づく皮膚色を分析するための方法と紅斑を評価するための方法を提供する。その皮膚赤色値又は紅斑値は皮膚の発赤又は紅斑についての全強度範囲にわたる客観的で連続的な測定値を提供する。したがって、皮膚赤色紅斑値が大きいほど紅斑の強度が高くなる。
【００２４】
「紅斑」という用語は、本明細書において使用される場合、あらゆる皮膚又は粘膜の発赤、又は皮膚若しくは粘膜の炎症、又は皮膚損傷を含み得る。例えば、紅斑は皮膚炎（例えば、放射線皮膚炎）、湿疹、上皮融解、落屑、潮紅、発赤、及び／又は発疹を含み得る。紅斑はあらゆる種類の紅斑、例えば、日焼け紅斑、慢性遊走性紅斑、硬結性紅斑、伝染性紅斑、輪状紅斑、遊走性紅斑、多型性紅斑、結節性紅斑、中毒性紅斑、角質溶解性冬期紅斑、手掌紅斑、スティーブンス・ジョンソン症候群、及び中毒性表皮壊死症（ＴＥＮ、「ライエル症候群」としても知られる）及び頂部火炎状母斑も含み得る。「紅斑」という用語は皮膚損傷又は創傷をさらに指す。「紅斑」という用語はあらゆるステージの創傷、すなわち、新しい創傷、並びに様々な創傷治癒ステージの創傷も含み得る。
【００２５】
紅斑は１層以上の皮膚又は粘膜、例えば、１層以上の表皮及び／又は１層以上の真皮、又は１層以上の粘膜、例えば粘膜上皮（粘膜上皮板）及び／又は基底膜又は結合組織（例えば、強膜、眼の結膜）を冒し得る。
【００２６】
「ソフトウェアアプリケーションを使用して」という用語は、我々の発明の方法において使用される場合、あらゆる文脈においてソフトウェアアプリケーションを使用して、又はアプリケーションプログラムを使用して、又はアプリケーションを使用して、又はアプリケーション若しくはソフトウェアツール若しくはウェッブソフトウェアを使用して、又は、より一般的な言葉では、コンピューターの運用自体以上の有用な作業を実施することが可能なあらゆるソフトウェアであって我々の発明の計算方法の統合を可能にするあらゆるソフトウェアの使用と互換的であると認識及び理解され得る。
【００２７】
第１の態様では本発明は、対象の紅斑を評価するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法に関する。
【００２８】
第２の態様では本発明は、対象が放射線照射によって引き起こされる紅斑を発症する危険性を評価するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
次の式に従ってベースライン紅斑値を算出するステップ
（Ｌ*max−Ｌ*）×ａ*、及び
−前記対象が放射線照射によって引き起こされる紅斑を発症する危険性に前記ベースライン紅斑値を相関させるステップ
を含む前記方法に関する。
【００２９】
第３の態様では本発明は、放射線照射のために対象が発症する紅斑の強度を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、及び
−次の式に従ってベースライン紅斑値を算出するステップ
（Ｌ*max−Ｌ*）×ａ*、及び
−放射線照射のために前記対象が発症する紅斑の強度に前記ベースライン紅斑値を相関させるステップ
を含む前記方法に関する。
【００３０】
第４の態様では本発明は、対象が放射線照射によって引き起こされる紅斑を発症するまでの時間を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
次の式に従ってベースライン紅斑値を算出するステップ
（Ｌ*max−Ｌ*）×ａ*、及び
−前記対象が放射線照射によって引き起こされる紅斑を発症するまでの時間に前記ベースライン紅斑値を逆相関させるステップ
を含む前記方法に関する。
【００３１】
第２、第３及び第４の態様の実施形態では対象の皮膚領域又は粘膜領域の光反射率は放射線照射の前に測定される。前記実施形態に関して「放射線照射の前に」という用語は放射線被曝の開始前又は放射線照射の開始時の時点、すなわち、最初の放射線照射の前の時点を指し、その最初の放射線照射は数回の後続の放射線照射からなる過程のうちの最初の放射線照射であり得る。対応的紅斑値が前記ベースライン測定に基づいて算出される。その値がベースライン紅斑値である。対象の皮膚領域又は粘膜領域の光反射率は放射線照射の前の２つ以上の時点で測定されてよく、対応的平均ベースライン紅斑値が算出され得る。第２、第３及び第４の態様の実施形態では対象の皮膚領域又は粘膜領域の光反射率は放射線照射後の１つ以上の時点で測定される。放射線照射後という用語は前記態様に関して最初の放射線照射期間内の１つ以上の時点、とりわけ、最初の数回の放射線被曝期の間、又は放射線療法の最初の数日の間の１つ以上の時点を指す。例えば、前記対象の皮膚領域又は粘膜領域の光反射率は放射線療法の第１週の間の１日以上の時点で測定される。１つ以上の紅斑値が前記初期測定値に基づいて算出され、且つ、初期紅斑値として定義され得る。
【００３２】
「相関させる」という用語は、本明細書において使用される場合、紅斑値の他の各パラメーターに対する直接的関係を指す。例えば、対象のベースライン紅斑値が大きいほど対象が放射線照射によって引き起こされる紅斑を発症する危険性、及び／又は放射線照射のために対象が発症する紅斑の強度が高い。
【００３３】
「逆相関させる」という用語は、本明細書において使用される場合、紅斑値の他の各パラメーターに対する逆関係を指す。例えば、対象のベースライン紅斑値が大きいほどその対象が放射線照射によって引き起こされる紅斑を発症するまでの時間が短く、又は対象のベースライン紅斑値が小さいほどその対象が放射線照射によって引き起こされる紅斑を発症するまでの時間が長い。
【００３４】
前記ベースライン紅斑値及び／又は前記初期紅斑値の間の傾きは例えばそのベースライン紅斑値と前記初期紅斑値のうちの１つ以上との間、又は２つ以上の初期紅斑値の間で算出され得る。ベースライン紅斑値、並びに前記傾きは放射線照射によって引き起こされる紅斑を発症する危険性と相関してよく、放射線照射によって引き起こされる紅斑の強度と相関してよく、又は対象が放射線照射によって引き起こされる紅斑を発症するまでの時間と逆相関してよい。したがって、これらのパラメーターを評価又は予測するためにベースライン紅斑値、又は２つ以上の紅斑値の間の傾き、又は両方の組合せのいずれかが用いられ得る。１つの実施形態では放射線照射前、及び放射線照射後の１つ以上の時点で光反射率を測定し、２つ以上の紅斑値の間の傾きを算出し、対象が放射線照射によって引き起こされる紅斑を発症する危険性又は放射線照射のために前記対象が発症する紅斑の強度に前記傾きを相関させる、又は前記対象が放射線照射によって引き起こされる紅斑を発症するまでの時間に前記傾きを逆相関させる。別の実施形態では対象が放射線照射によって引き起こされる紅斑を発症する危険性、放射線照射のために前記対象が発症する紅斑の強度、又は前記対象が放射線照射によって引き起こされる紅斑を発症するまでの時間はベースライン紅斑値及び２つ以上の紅斑値の間の傾きに基づいて評価又は予測される。
【００３５】
１つの実施形態では１つ以上のベースライン紅斑値及び／又は初期紅斑値に基づいて対象の予後予測が３種類全てのパラメーターについて提供される。したがって、対象が放射線照射によって引き起こされる紅斑を発症する危険性は本発明に従ってベースライン紅斑値及び／又は初期紅斑値を算出すること、及び前記危険性にその紅斑値を相関させることに基づいて評価され、放射線照射のためにその対象が発症する紅斑の強度は本発明に従ってベースライン紅斑値及び／又は初期紅斑値を算出すること、及び前記強度にその紅斑値を相関させることに基づいて予測され、その対象が放射線照射によって引き起こされる紅斑を発症するまでの時間は本発明に従ってベースライン紅斑値及び／又は初期紅斑値を算出すること、及び前記時間にその紅斑値を逆相関させることに基づいて予測される。
【００３６】
第５の態様では本発明は、対象において紅斑を引き起こす、又は治療する医薬調製物又は美容調製物の能力についてその医薬調製物又は美容調製物を検査するための方法であって、
−前記医薬調製物又は美容調製物の投与前及び投与後に前記対象の皮膚領域又は粘膜領域の光反射率を測定するステップ、
−Ｌ*ａ*ｂ*色空間に従ってそれぞれの測定のＬ*値及びａ*値を取得するステップ、及び
−次の式に従ってそれぞれの測定の紅斑値を算出するステップ
（Ｌ*max−Ｌ*）×ａ*
を含む前記方法に関する。
【００３７】
第６の態様では本発明は、対象において紅斑の外観を改善する医薬調製物又は美容調製物の能力についてその医薬調製物又は美容調製物を検査するための方法であって、
−前記医薬調製物又は美容調製物の投与前及び投与後に前記対象の皮膚領域の光反射率を測定するステップ、
−Ｌ*ａ*ｂ*色空間に従ってそれぞれの測定のＬ*値及びａ*値を取得するステップ、及び
−次の式に従ってそれぞれの測定の紅斑値を算出するステップ
（Ｌ*max−Ｌ*）×ａ*
を含む前記方法に関する。
【００３８】
第５の態様又は第６の態様の実施形態では前記対象の皮膚領域又は粘膜領域の光反射率は医薬調製物又は美容調製物の投与前に少なくとも一回測定され、医薬品又は化粧品の投与後の１つ以上の時点で測定され、各測定について紅斑値が算出される。「前記医薬調製物又は美容調製物の投与後」という用語は、前記態様に関して、前記医薬調製物又は美容調製物の投与期間内及び／又は投与期間後の１つ以上の時点を指す。例えば、対象の皮膚領域又は粘膜領域の光反射率は医薬調製物又は美容調製物の単回投与又は反復投与の後の１つ以上の時点で測定される。対象の皮膚領域又は粘膜領域の光反射率は医薬調製物又は美容調製物の投与期間後の１つ以上の時点、すなわち、その医薬調製物又は美容調製物がもはや投与されなくなった１つ以上の時点で測定されてもよい。前記紅斑値のうちの２つ以上の間の傾き、例えば、２つ以上の後続の測定値又は紅斑値の間の傾き、又は治療期間若しくは観察期間中の２つ以上の測定値又は紅斑値の間の傾きを決定することができる。投与期間中の２つ以上の紅斑値の間での紅斑値の増加は紅斑の進行、すなわち、その医薬調製物又は美容調製物が紅斑を引き起こすこと、又は紅斑の予防に有効ではないことを示している。投与期間中の２つ以上の紅斑値の間で紅斑値に重大な変化が無いことは安定な皮膚状態又は粘膜状態、すなわち、その医薬調製物又は美容調製物が紅斑を引き起こさないこと、紅斑の予防に有効であること、紅斑の治療に有効ではないこと、又は紅斑の外観の改善に有効ではないことを示している。投与期間中の２つ以上の紅斑値の間での紅斑値の減少は紅斑の退行、すなわち、その医薬調製物又は美容調製物が紅斑の治療又は紅斑の外観の改善に有効であることを示している。
【００３９】
第６の態様の実施形態では美容製品の混濁度が検査される。その美容製品はメイクアップ、ファウンデーション、フェイスパウダー、カモフラージュ、カバースティック、又はコンシーラーであり得る。その製品の適用後の紅斑値の減少はその美容製品が紅斑の被覆に有効であることを示している。
【００４０】
第７の態様では本発明は、対象の皮膚色を分析するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って皮膚赤色値を算出するステップ
（Ｌ*max−Ｌ*）×ａ*
を含む前記方法を提供する。
【００４１】
上で示された発明の主要な態様では「皮膚色」という用語はあらゆる色合いの赤色を含む皮膚又は粘膜又は結膜の色を指し、特に皮膚赤色又は粘膜赤色を指す。そのような皮膚赤色は健康な皮膚又は粘膜又は結膜、及び皮膚又は粘膜又は結膜の炎症部分、例えば、紅斑などを含む。したがって、「皮膚赤色値」という用語は皮膚色又は粘膜色の測定に基づいて算出された値を指す。例えば、皮膚赤色値を紅斑値と定義してよく、そのような態様を参照するとき、紅斑値の場所依存的な差異又は時間依存的な差異を用いて対象の日光黒子又は単純黒子又は悪性黒子又は雀卵斑に関係する変化を客観的に分析及び解釈することができる。
【００４２】
別の態様では、「皮膚色」という定義は皮膚又は粘膜又は結膜の、特に皮膚又は強膜（眼の白色部）における紅斑の色合いを含み、黄色い色素形成の色合いをさらに含む色を指す。そのような黄色がかった皮膚色素は皮膚血腫の通常の治癒過程に含まれ、又は命に係わる疾患、例えば、黄疸（黄疽）に関連して観察され得る。ヘム代謝の黄色い分解産物であるビリルビンのレベルのわずかな上昇が約２〜３ｍｇ／ｄＬ（３４〜５１μｍｏｌ／Ｌ）のビリルビンレベルで強膜において視覚的に認識され得るが、正常な皮膚色素形成のマスキング効果のため、信頼できる皮膚の黄疸評価にはさらに高いビリルビンレベルが必要とされる。しかしながら、我々の方法ではＬ*値とｂ*値を取得し、式（Ｌ*max−Ｌ*）×ｂ*に従って皮膚又は粘膜の黄色値を算出することによって正常な皮膚色素形成が考慮されており、経時的な対象の黄疸等級区分及び黄疸発生の客観的な文書化及び評価のための新規の感度が高く、非侵襲的な方法が提供される。
【００４３】
別の態様では対象の皮膚を日焼けの色にする美容調製物を評価するため、すなわち、皮膚タンニング調製物を試験するために本発明の方法を用いることができる。したがって、皮膚タンニング調製物の投与又は利用の前後の治療領域の１つ以上の測定値に基づいて皮膚赤色値（輝度についての情報を含む、すなわち、皮膚タンニングも考慮する）が算出される。前記実施形態では基準領域は治療領域ではない領域、すなわち、美容調製物によって被覆されていない領域であり得る。
【００４４】
比較的に離れた態様では本発明の方法は食肉を分析するために用いられ得る。
【００４５】
本発明の１つの実施形態では対象はヒトである。１つの実施形態ではそのヒトは白人である。別の実施形態では対象は非ヒト動物である。その非ヒト動物は非ヒト霊長類、ブタ、げっ歯類、又はウサギからなる群より選択される非ヒト哺乳類動物であり得る。一つの実施形態では対象はミニブタなどのブタである。別の実施形態では対象はヌードマウスである。１つの実施形態では対象は放射線療法を受けているヒト女性の乳癌患者である。その乳癌患者は手術、例えば、乳房温存手術を受けていてもよい。１つの実施形態では対象は放射線療法を受けているヒト頭頚部癌（ＨＮＣ）患者である。そのＨＮＣ患者は手術を受けていてもよい。一つの実施形態では対象は化学療法で処置される。
【００４６】
一つの実施形態では対象は紅斑を引き起こし得る治療法で処置されているか、又は処置され、又は紅斑になり易い。別の実施形態では対象は紅斑を引き起こし得る治療法で処置されているか、又は処置され、又は紅斑になり易く、且つ、紅斑を予防する治療法で処置されているか、又は処置される。さらに別の実施形態では対象は紅斑を患っており、紅斑を治療し得る、且つ／又は紅斑の外観を改善し得る治療法で処置されているか、又は処置される。
【００４７】
一つの実施形態では対象は被曝しているか、又は被曝し、又は放射線誘導性皮膚炎若しくは日焼けを患っているか、放射線誘導性皮膚炎又は日焼けになり易い。
【００４８】
１つの実施形態では対象は細胞毒性薬品、例えば、フルオロウラシル、カペシタビン、シタラビン、ソラフェニブ、又はペグ化リポソーム性ドキソルビシン（Ｄｏｘｉｌ）、又はチロシンキナーゼ阻害剤（例えば、ソラフェニブ及びスニチニブ）などで処置されている、又は処置される。例えば、対象は手掌足底感覚異常症又は手足症候群を患っていてよく、又は手掌足底感覚異常症若しくは手足症候群になり易い。
【００４９】
一つの実施形態では対象は紅斑を引き起こし得る薬品、例えば、抗生物質（スルホンアミド類、ペニシリン類、セフィキシム）、バルビツエート類、ラモトリジン、フェニトイン（例えば、ディランチン）、非ステロイド性抗炎症薬（ＮＳＡＩＤ）、又はＥＧＦＲ阻害剤などで治療されている、又は治療される。例えば、対象は抗ＥＧＦＲ抗体療法で、特にセツキシマブ（エルビタックス（登録商標））で治療されている、又は治療される。
【００５０】
一つの実施形態では対象は１種類以上のアレルゲン、例えば、アレルギー試験用の様々なアレルゲン、ウルシオール（ツタウルシ又はウルシによって産生される樹脂）、ペニシリン、ラテックス、又はスズメバチ、アカヒアリ及びミツバチの毒針などに曝露されている、又は曝露される。
【００５１】
一つの実施形態では対象は例えば白癬（たむし）、又はカンジダなどの真菌感染症を患っている。
【００５２】
一つの実施形態では対象は例えばスタフィロコッカス、ストレプトコッカス、又は例えば梅毒、ベジェル、ピンタ及びイチゴ腫などのトレポネーマ病による細菌感染症を患っている。
【００５３】
一つの実施形態では対象はウイルス感染症を患っており、そのウイルス感染症は帯状疱疹、風疹、疱疹、手足口病、エンテロウイルス感染症、水痘、又はエリスロウイルス感染症（伝染性紅斑又は第５病）からなる群より選択され得る。
【００５４】
一つの実施形態では対象は皮膚疾患を患っており、その皮膚疾患は乾癬、アトピー性湿疹又はアトピー性皮膚炎（神経皮膚炎）、湿疹、又はニキビからなる群より選択され得る。
【００５５】
一つの実施形態では対象は内部粘膜又は外部粘膜、例えば、口腔粘膜、鼻粘膜、又は小腸粘膜を冒す疾患を患っている。例えば、対象は炎症性腸疾患、クローン病（Ｍｏｒｂｕｓ  Ｃｒｏｈｎ又はＣｒｏｈｎ’ｓ  ｄｉｓｅａｓｅ）、アフタ性口内炎、結膜炎、慢性閉塞性肺疾患、消化性潰瘍、過度の飲酒、又は胃炎を患っている。
【００５６】
一つの実施形態では対象は赤面などの身体表現性障害を患っている。
【００５７】
一つの実施形態では対象は１つ以上の創傷を有する、又は有している。前記創傷はあらゆる起源（例えば、手術又は傷害）の創傷、並びにあらゆるステージの創傷、すなわち、新しい創傷、並びにあらゆる創傷治癒ステージの創傷であり得る。創傷は皮膚が裂かれている、切られている、又は皮膚に穴があけられている一種の損傷（開放性創傷）、又は鈍力損傷によって挫傷が引き起こされる一種の損傷（閉鎖性創傷）である。特に、創傷は皮膚の表皮及び／又は真皮に損傷を与える傷害である。しかしながら、創傷は粘膜病変又は粘膜障害であってもよい。概して、創傷は１層以上の皮膚又は粘膜、例えば、１層以上の表皮及び／又は１層以上の真皮、又は１層以上の粘膜、例えば粘膜上皮（粘膜上皮板）及び／又は基底膜を冒し得る。
【００５８】
したがって、一つの態様では本発明は対象の創傷又は創傷治癒の文書化又は分析に、又は経時的な対象の皮膚又は粘膜又は結膜の血腫強度又は血腫発症の文書化に適用され得る。これは
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む本発明の方法によって行われ得る。
【００５９】
１つの実施形態では前記皮膚領域又は粘膜領域は皮膚領域である。別の実施形態では前記皮膚領域又は粘膜領域は粘膜領域である。その粘膜領域は外部粘膜又は内部粘膜、例えば鼻粘膜、口腔粘膜、小腸粘膜であり得る。一つの実施形態では前記皮膚領域又は粘膜領域は１つ以上の断片領域を含む大領域である。前記実施形態では本発明の方法の各ステップが各断片領域について別々に行われる。以上より、本発明に従って各断片領域について紅斑値が算出される。
【００６０】
１つの実施形態では紅斑値又は他のあらゆる皮膚色値が各副区域について別々に算出され得る。副区域は下に記載されるような副区域であり得、又は画像取得により皮膚領域又は粘膜領域の光反射率が測定される場合、副区域は前記画像の単画素であってもよく、すなわち、１つ以上の単画素について紅斑値が算出される。以上より、平均紅斑値又は他のあらゆる皮膚色値の平均値が画像、大領域、及び／又は断片領域の１つ以上の単画素から算出され得る。
【００６１】
前記断片領域は紅斑領域（又は紅斑領域の代表部分）であり得る。１つの実施形態では紅斑領域は紅斑になり易い領域であり、その紅斑は、例えば、下でさらに説明される疾患及び／又は治療法によって引き起こされ得る。別の実施形態では紅斑領域は紅斑を特徴とする領域である。前記紅斑は下でさらに説明される疾患及び／又は治療法によって引き起こされたものであり得る。「治療法」という用語はこの文脈では対象の局所的治療法（例えば、対象の皮膚領域又は粘膜領域の治療法）又は全身的治療法（例えば、抗ＥＧＦＲ抗体を用いる治療法）であり得る対象が必要とする治療法と理解されねばならない。したがって、一つの実施形態では紅斑になり易い、又は紅斑を特徴とする断片領域は局所的治療法の分析治療領域、又は全身的治療を受けて紅斑が生じている分析領域であり得る。
【００６２】
前記分析断片領域は治療領域（又は治療領域の代表部分）、すなわち、例えば放射線照射（Ｘ線照射、紫外線照射、及び／又は日光照射を含むがこれらに限定されない）によって、並びに／又は医薬調製物及び／若しくは美容調製物によって物理的及び／又は化学的に治療されている、又は治療される分析領域であってもよい。１つの実施形態では前記分析紅斑領域は治療領域でもある。一つの実施形態ではその放射線照射は放射線療法、特に分割放射線療法である。
【００６３】
分析断片領域は基準領域（又は基準領域の代表部分）でもあり得る。前記基準領域は同じ対象の領域であり得る。一つの実施形態では基準領域は評価予定の対象以外の１人以上の対象の領域であり得る。前記の異なる対象は同じ人種（例えば、白人）の対象、同一又は類似の皮膚色の対象、及び／又は同じ（例えばフィッツパトリック皮膚スケールに従う）皮膚タイプの対象であり得る。一つの実施形態では前記の異なる対象は同種の皮膚状態、例えば紅斑を有する。さらに別の実施形態では前記の異なる対象は同一又は類似の疾患を患っており、且つ／又は同一若しくは類似の治療を受けている。したがって、２つ以上の基準紅斑値からなる基準曲線が対象の測定値との比較のために作成され得る。概して、（例えば基準値との）紅斑値のあらゆる比較について、２つ以上の紅斑値の間の曲線下面積が決定され、例えば２つ以上の基準紅斑値の曲線下面積と比較され得る。
【００６４】
さらに、基準領域は紅斑領域及び／又は治療領域に類似する領域、すなわち、体の同一又は類似の場所の、及び／又は同一若しくは類似の性質（例えば、類似の色及び／又は形状）の領域であり得る。１つの実施形態では基準領域は例えば紅斑領域及び／又は治療領域と比較予定の断片領域に隣接する。１つの実施形態では基準領域は例えば紅斑領域及び／又は治療領域と比較予定の断片領域と同じサイズの領域である。基準領域について算出された紅斑値は基準紅斑値とも呼ばれ得る。一つの実施形態では、例えば、紅斑を引き起こし得る治療法を評価するために本発明の方法が使用される場合では基準領域は紅斑領域ではない。前記実施形態では基準領域は紅斑を特徴とせず、すなわち、基準領域に紅斑が無い。例えば、基準領域は紅斑を引き起こし得る調製物又は治療法による治療の前の治療領域であり得、したがって、紅斑を発症する前の治療領域であり得る。１つの実施形態では基準領域は治療領域ではない。一例では、基準領域は完全に未処置のままである。その他の実施形態では基準領域はプラセボ又は基準治療法によって、例えば、代表的治療法又は競合的製品又は比較用製品などによって治療される。別の実施形態では、例えば、紅斑を改善し得る治療法を評価するために本発明の方法が使用される場合では基準領域は紅斑を特徴とする。別の実施形態では基準領域は紅斑の発症前及び／又は治療前の紅斑領域及び／又は治療領域である。紅斑領域及び／又は治療領域である基準領域について算出されたが、紅斑の発症前及び／又は治療前の測定値に基づいて算出された基準紅斑値はベースライン紅斑値又は初期紅斑値とも呼ばれ得る。
【００６５】
一つの実施形態では紅斑値は基準紅斑値と比較される。例えば、断片領域（例えば、治療領域及び／又は紅斑領域）の紅斑値が１つ以上の基準紅斑値と比較される。１つの実施形態では１つ以上の基準領域に基づいて基準紅斑値が算出される。別の実施形態では基準紅斑値は、フォローアップ紅斑値が算出される同一の断片領域、例えば、紅斑領域及び／又は治療領域の紅斑値であって、治療前及び／又は紅斑の発症前に評価された紅斑値である。
【００６６】
別の実施形態では紅斑値は１つより多くの基準紅斑値及び／又は基準領域の２つ以上の紅斑値の間の１つ以上の基準勾配値と比較され得る。前記基準紅斑値及び／又は基準勾配値は同じ対象の基準紅斑値又は１人以上の異なる対象の基準紅斑値を含み得る。例えば、同一又は類似の種類の紅斑及び／又は同一若しくは類似の等級の紅斑を有する対象、例えば、同じ疾患を有する、又は同じ治療を受けている対象から基準紅斑勾配値又は評価曲線又は基準曲線が決定され得る。したがって、本発明に従って１つ以上の紅斑値を算出し、且つ、前記１つ以上の紅斑値を１つ以上の基準紅斑値、２つ以上の基準紅斑値の間の基準紅斑勾配値、及び／又は評価曲線若しくは基準曲線に対して比較することにより対象の紅斑を評価することができる。
【００６７】
皮膚領域又は粘膜領域の光反射率はデジタル写真撮影術などの画像撮影方法を用いることによって測定され得る。したがって、一つの実施形態では皮膚又は粘膜の光反射率は前記皮膚領域又は粘膜領域の画像を取得することにより測定される。その画像はラスターグラフィクス画像（又はビットマップ）であり得る。したがって、１つの実施形態ではＬ*ａ*ｂ*色空間に従って前記測定のＬ*値及びａ*値を取得するステップ、及び本発明の式に従って紅斑値を算出するステップは画素毎に、すなわち、皮膚領域又は粘膜領域の１つ以上の画素について別々に行われる。例えば、その画像は１つ以上の断片領域を含む大領域を含んでよく、前記領域の１つ以上の画素について紅斑値が算出される。前記皮膚領域又は粘膜領域、又は前記皮膚領域又は粘膜領域の各画素の代表である全ての画素について紅斑値が算出され得る。画像の各画素について紅斑値が算出され得る。所望により、下でさらに説明されるように１つ以上の画素を除外してよく、例えば、代表的ではない副区域のあらゆる画素を除外してよい。単画素紅斑値に基づいて皮膚領域又は粘膜領域について平均紅斑値が算出され得る。一つの実施形態では平均紅斑値は皮膚領域又は粘膜領域の単画素紅斑値の算術平均である。
【００６８】
１つの実施形態ではＬ*ａ*ｂ*色空間において光反射率が測定され、前記測定から直接的にＬ*値及びａ*値が取得される。
【００６９】
別の実施形態ではＬ*ａ*ｂ*色空間以外の色空間において前記光反射率が測定され、前記測定の光反射率値をＬ*ａ*ｂ*色空間の対応する値に変換することによってＬ*ａ*ｂ*色空間に従うＬ*値及びａ*値が取得される。
【００７０】
１つの実施形態では前記測定の色空間に従う画像の１つ以上の画素の光反射率値が画像ファイルから直接的に取得される。一つの実施形態では画像の各単画素の光反射率値が取得される。別の実施形態ではグラフィクスソフトウェア、例えば、Ａｄｏｂｅ  Ｐｈｏｔｏｓｈｏｐ、Ｃｏｒｅｌ  Ｐａｉｎｔ  Ｓｈｏｐ、Ｃｏｒｅｌ  Ｐｈｏｔｏ  Ｐａｉｎｔ、Ｉｒｆａｎ  Ｖｉｅｗ、ＧＩＭＰ、Ｐａｉｎｔ．  ＮＥＴ、又はそのようなものを使用することにより前記１つ以上の単画素値が取得される。
【００７１】
１つの実施形態では各断片領域について単画素紅斑値に基づく平均紅斑値が算出される。１つの実施形態では各基準領域について単画素紅斑値に基づく平均紅斑値が算出される。別の実施形態では各大領域について単画素紅斑値に基づく平均紅斑値が算出される。さらに、１つより多くの断片領域、基準領域、及び／又は大領域について平均紅斑値が算出され得る。その平均紅斑値は皮膚領域又は粘膜領域、例えば、断片領域の全ての単画素紅斑値を含み得る。しかしながら、一つの実施形態では１つ以上の単画素紅斑値が平均紅斑値の計算から除外され得る。
【００７２】
概して、皮膚領域又は粘膜領域の光反射率を測定するための上記の方法のうちのいずれかをレーザースキャニング、例えば、３Ｄレーザースキャニングと組み合わせて皮膚領域又は粘膜領域のその他の情報、例えば、３Ｄ構造を取得することができる。
【００７３】
１つの実施形態では紅斑領域は紅斑を引き起こし得る物理的及び／又は化学的治療法によって（局所的に）処置されている、又は処置される治療領域である。例えば、その物理的及び／又は化学的治療法は放射線照射、医薬調製物及び／又は美容調製物による全身的治療（例えば、皮下注射、粘膜注射、筋肉内注射）、又は医薬調製物及び／又は美容調製物による局所治療（粘膜投与を含む）、アレルギー検査、例えば、プリックテスト及び／又はパッチテストなどからなる群より選択され得る。前記実施形態では紅斑領域は紅斑になり易い領域である。さらに、前記例では紅斑領域は治療領域でもある。前記例ではそれぞれの基準領域は紅斑を特徴としない。したがって、基準領域は紅斑領域と同じ領域であり得るが、治療前の領域であり得る。基準領域が紅斑領域以外の領域である場合、その基準領域は治療領域ではない。
【００７４】
一つの実施形態では治療領域は、紅斑を改善し得る医薬品又は化粧品、例えば、１つ以上の抗生剤、抗炎症剤、創傷治癒剤、及び／又は抗酸化剤を含む調製物で治療されている、又は治療される紅斑を特徴とする紅斑領域である。前記実施形態では基準領域は治療領域ではない、すなわち、前記医薬品又は化粧品で治療されていない紅斑を特徴とする紅斑領域である。１つの実施形態ではその抗酸化剤はリポソーム製剤になっていてもよいスーパーオキシドディスムターゼ（ＳＯＤ）、特に組換えヒトＣｕ／Ｚｎ  ＳＯＤである。
【００７５】
別の実施形態では治療領域は、紅斑を被覆するための美容調製物、例えば、１種類以上の色素を含むメイクアップ、ファウンデーション、フェイスパウダー、カモフラージュ、カバースティック、コンシーラーなどの調製物で局所的に処置されている、又は処置される紅斑を特徴とする紅斑領域である。前記実施形態ではその美容調製物の混濁度を評価するために本発明による方法が用いられ得る。前記実施形態では基準領域は治療領域ではない、すなわち、その美容調製物によって被覆されていない紅斑を特徴とする紅斑領域である。
【００７６】
別の実施形態では治療領域は紅斑を予防するための美容調製物、例えば、サンケア調製物で局所的に処置されている、又は処置される紅斑になり易い領域（例えば、太陽に曝露されている、又は曝露される領域）である。前記実施形態ではその美容調製物の日焼けを防止する能力を評価するために本発明による方法を用いることができる。前記実施形態では基準領域は治療領域ではない、すなわち、その美容調製物によって被覆されていない太陽に曝露されている、又は曝露される領域であり得る。コンピューターベースの手動選択又は脱選択ツール（例えば、グラフィック選択又は脱選択ツール、例えば、直線、円形、楕円形、長方形、又は多角形の選択又は脱選択ツール）、並びに／又は自動若しくは半自動パターン認識及び／若しくは分析ソフトウェア（又は画像認識及び／若しくは分析ソフトウェア）などのソフトウェアに基づいて断片領域を決定及び／又は分析してよい。例えば、ある特定の代表的な領域を選択してよく、且つ／又はある特定の非代表的な領域を脱選択してよい。半自動画像分析の例は上で言及された創傷治癒分析ツール（Ｗ．Ｈ．Ａ．Ｔ）ソフトウェアである。
【００７７】
概して、ある特定の副区域を断片領域及び／又は大領域から除外してよい。したがって、そのような副区域を各ＥＶの計算から除外してよい。
【００７８】
一つの実施形態では１つ以上の副区域が断片領域及び／又は大領域から手動又は自動で除外される。そのような副区域はあらゆる非代表的な領域（例えば、境界領域）、又は分析予定の残りの領域と異なる色素形成、色合い、及び／又は形状を有する領域であり得る。その副区域は例えば傷跡、母斑、そばかす、年齢による染み、皮膚のしわ（例えば、乳房下の皺（ＩＭＦ）、乳房下の襞又は乳房下線とも呼ばれる）、アクロマスティウム（ａｃｒｏｍａｓｔｉｕｍ）、影、プラスター、及び／又はマーク（パッチ、入れ墨、インク染み、例えば、放射線あざなど）、又はそれらの部分を特徴とし得る。そのような副区域はコンピューターベースの手動選択又は脱選択ツール（例えば、グラフィック選択又は脱選択ツール、例えば、直線、円形、楕円形、長方形、又は多角形の選択又は脱選択ツール）によって、及び／又はパターン認識ソフトウェア（又は画像認識ソフトウェア）などの自動又は半自動画像認識技術を用いることによって除外され得る。
【００７９】
断片領域の代表的な部分はその断片領域の主要な特徴を示す前記断片領域の副区域であり得る。断片領域の代表的な部分は前記断片領域の中央副区域であり得る。断片領域のそのような代表的な部分はあらゆる境界領域、例えば、境界領域から周辺領域、例えば、他の断片領域を含まなくてよい。断片領域の代表的な部分は断片領域であって、１つ以上の非代表的な副区域が除外された断片領域であってもよい。概して、２つ以上の断片領域が重なっていても重ならなくてもよい。例えば、２つ以上の断片領域が部分的に重なっていてよい。また、あらゆる非代表的な領域が２つ以上の断片領域と重なっていてよく、したがって、前記２つ以上の断片領域を含む大領域から除外されてよい。
【００８０】
光反射率が皮膚領域又は粘膜領域の画像を取得することにより測定される場合、副区域の上記の選択又は脱選択をその画像の画素に対して適用することができ、すなわち、非代表的な副区域の１つ以上の画素又は全ての画素を脱選択してよく、又は代表的な副区域の１つ以上の画素又は全ての画素を選択してよい。したがって、紅斑値の計算から、例えば、断片領域の単画素紅斑値及び／又は平均紅斑値の計算から非代表的な副区域の前記１つ以上の画素を除外してよい。さらに、紅斑値又は他のあらゆる色値、例えば、断片領域の単画素紅斑値及び／又は平均紅斑値の計算に代表的な副区域の前記１つ以上の画素を含めてよい。
【００８１】
１つの実施形態では前記大領域は少なくとも１つの紅斑領域及び／又は治療領域を含む。１つの実施形態では前記大領域は少なくとも１つの基準領域を含む。１つの実施形態では前記大領域は少なくとも１つの紅斑領域及び／又は治療領域と少なくとも１つの基準領域を含む。
【００８２】
前記大領域及び／又は断片領域は所定の領域であり得る。前記大領域及び／又は断片領域は、例えば１つ以上のパッチ、入れ墨、及び／又はインク染みによって印を付けられていてよい。
【００８３】
皮膚領域又は粘膜領域の光反射率はあらゆる色空間において測定又は描写され得る。すなわち、その測定方法又は画像撮影方法（及び、したがって、その測定値又は画像の表現）はあらゆる色空間（又は色モデル）、例えば、ＣＩＥ−Ｌａｂ（又はＬ*ａ*ｂ*）色空間、ＸＹＺ色空間、Ｙｘｙ色空間、Ｌｕｖ色空間（例えば、ＣＩＥ−Ｌｕｖ色空間、Ｌ*ｕ*ｖ*とも呼ばれる）、ＲＧＢ色空間、ＲＹＢ色空間、ＣＭＹＫ色空間、ＨＳＬ、ＨＳＶ及び／又はＣＩＥＣＡＭ０２色空間などに基づき得る。Ｌ*ａ*ｂ*色空間、ＸＹＺ色空間、及びＬｕｖ色空間は光反射率を測定する機器を選ばない。１つの実施形態では皮膚領域又は粘膜領域の光反射率はＬ*ａ*ｂ*色空間において測定される。その測定値又は画像はＬ*ａ*ｂ*色空間で表され、パラメーター又は値はＬ*（輝度）、ａ*（赤／緑）及びｂ*（青／黄色）である。前記実施形態では輝度（Ｌ*値）及び赤色度（ａ*値）について実際に測定された値に基づいて紅斑値が直接的に算出され得る。皮膚領域又は粘膜領域の光反射率がＬ*ａ*ｂ*色空間以外の色空間において測定され、その測定値又は画像がＬ*ａ*ｂ*色空間以外の色空間で表される場合、実際に測定された値（又はパラメーター）がＬ*ａ*ｂ*色空間のそれぞれの値に変換される。例えば、ＲＧＢ色空間又はＣＭＹＫ色空間における測定値又は画像がＬ*ａ*ｂ*色空間に変換され得る。ＲＧＢ値又はＣＭＹＫ値が最初にｓＲＧＢ又はＡｄｏｂｅ  ＲＧＢなどの特定の絶対色空間に変換されることが必要である。この調節は機器依存的であり得るが、その変換の結果であるデータは機器非依存的であり得、データがＣＩＥ１９３１色空間に変換され、次にＬ*ａ*ｂ*に変換されることを可能にする。異なる色空間の間での値の変換のための方法とツールが例えばＡｐｐｌｅのＣｏｌｏｒＳｙｎｃサービスプログラム、Ａｄｏｂｅ  Ｐｈｏｔｏｓｈｏｐ（ｈｔｔｐ：／／ｗｗｗ．ｐｈｏｔｏｓｈｏｐ．ｃｏｍ／）の「コンバート・トゥ・プロファイル・ダイアログ」、及びｅａｓｙ  ＲＧＢカラーカルキュレーター（ｈｔｔｐ：／／ｗｗｗ．ｅａｓｙｒｇｂ．ｃｏｍ／）によって提供されている。
【００８４】
その色空間はフランスの国際照明委員会（ＣＩＥ）により承認されたＬ*ａ*ｂ*色空間（ＣＩＥ  １９７６  Ｌ*ａ*ｂ*又はＣＩＥＬＡＢとも呼ばれる；例えばＯＮＯＲＭ  ＥＮ  ＩＳＯ１１６６４−４：２００８年、２０１２−０５−１５版を参照のこと）であり得る。その色空間はヒトの眼に見える全ての色を説明しており、且つ、基準として使用される予定の機器独立モデルとして機能するように創られた。その色空間の３つの座標は色の明るさ（Ｌ*＝０は黒色をもたらし、Ｌ*＝１００は散乱した白色を表す）、赤色と緑色の間の色の値（ａ*、負の値は緑色を表し、正の値は赤色を表す）、及び黄色と青色の間の色の値（ｂ*、負の値は青色を表し、正の値は黄色を表す）を表す。中央からの距離の増加と共に色の飽和度が増加する。したがって、前記三次元色システムにおいてたった１つの点によって各色を表すことができ、すなわち、それらの３つのパラメーター（又は座標）によって各色を表すことができる。図１はＬ*ａ*ｂ*色空間の２つのグラフ表示を示している。
【００８５】
ＣＩＥＬＡＢ色空間に関して、ａ*スケールは最大緑色飽和（ａmin）から最大赤色飽和（ａmax）までの範囲であり、一方でｂ*スケールは最大青色飽和（ｂmin）から最大黄色飽和（ｂmax）までの範囲である。本発明では最大値（すなわち、Ｌmax、ａmax、及びｂmax）と最小値（ａmin及びｂmin）は一方で測定方法又は画像撮影方法によって決定され、他方でそれぞれの色空間とその色空間の色深度によって決定される。色深度（又はビット深度）はビットマップ、ビデオフレームバッファー、又は画像の単画素の色を表すために使用されるビット数のことである。この概念は通常は画素当たりのビット数（ｂｐｐ）として定量化され、画素当たりのビット数は使用されるビット数を特定する。色深度は色のレベルをどんなに細かく表現することができるかを表すカラー表示法の唯一の態様であり（色精度としても知られる）、他の態様は色範囲がどんなに広いかを表すものである（色域）。色精度と色域の両方の定義は色空間におけるある場所にデジタルコード値を指定するカラー符号化規格によって達成される。
【００８６】
１つの実施形態ではシングルスポット測定において光反射率が測定される。そのようなシングルスポット測定からたった１つのＬ*値及びたった１つのａ*値が取得され、前記シングルスポット値に基づいて紅斑値が算出される。別の実施形態では光反射率は皮膚領域又は粘膜領域の画像を取得することにより測定される。前記画像は複数の画素を含み、各画素はその測定値が採られた色空間の色パラメーターによって規定される。したがって、各シングルスポット測定、又は測定の各画素、又は画像の各画素はそれぞれの色空間、例えば、Ｌ*ａ*ｂ*色空間のパラメーター又は値によって規定され得る。シングルスポット測定又は単画素がＬ*ａ*ｂ*色空間以外の色空間のパラメーター又は値によって規定される場合、それらのパラメーター又は値は上で記載されたようにＬ*ａ*ｂ*色空間に変換される。
【００８７】
例えば、前記測定方法は分光測光である。分光測光はシングルスポット測定であり、すなわち、皮膚領域又は粘膜領域が１つのスポットで測定される。前記スポットにおいて測定される領域は分光光度計の標的マスクによって予め規定される。一つの実施形態ではその分光光度計は１０ｎｍステップで約４００〜７００ｎｍのスペクトルを測定する３２個のダイオードを有する。その分光測光はＬ*ａ*ｂ*色空間に基づき得る。したがって、このシングルスポット分光測光測定はＬ*ａ*ｂ*色空間に従ってたった１つのＬ*値、ａ*値、及びｂ*値を生じる。一例では、分光光度計から取得されたデータは直接的にＬ*ａ*ｂ色空間で提供される。一例では、分光光度計は１００の輝度の最大値、すなわち、Ｌmaxを有する。前記例では、赤色度の最大値、すなわち、ａmaxは１２７である（図１Ｂを参照のこと）。
【００８８】
別の例では、前記測定方法又は画像撮影方法はデジタル写真撮影術である。色深度は例えばチャンネル当たり（又は色パラメーター当たり）８ビット、１２ビット、１５ビット、又は１６ビットであり得る。一つの実施形態では色深度はチャンネル当たり８ビット、すなわち、総計で２４ビットである。色深度がチャンネル当たり８ビットである場合、各パラメーター（Ｌ*、ａ*、及びｂ*）について２５６個の可能な値が存在する。したがって、前記例では最大Ｌ*値は（最小値が０であるので）２５５である。赤色と緑色の２色を表すａ*値も２５６個の可能な値（すなわち、０〜２５５）を含む。したがって、赤色の最小値は１２８であり、赤色の最大値は２５５である。したがって、あらゆる所与の色深度及び／又は色空間について輝度と赤色度の最大値が算出され得る。算出された紅斑値を前記最大Ｌ*値及びａ*値に基づいて正規化することができる。
【００８９】
あらゆる適切な測定方法又は画像撮影方法、例えば、分光測光、ビデオ、ビデオフレームバッファー、及び／又は写真撮影術などによって測定値又は画像を取得することができる。例えば、大領域及び／又は断片領域とのどのような直接的接触も必要としない方法、例えば、写真撮影術によって測定値又は画像を取得することができる。一つの実施形態では分光測光及び／又は写真撮影術によって測定値又は画像が取得される。一つの実施形態ではデジタル写真撮影術によって測定値又は画像が取得される。
【００９０】
１つの実施形態ではコニカミノルタのＣＭ−７００ｄ分光光度計を使用することによって画像が取得される。１つの実施形態ではキャノンのデジタルカメラＣａｎｏｎパワーショットＧ１２を使用することによって画像が取得される。１つの実施形態ではキャノンのデジタルカメラとＳＯＬＩＧＯＲリングフラッシュを使用することによって画像が取得される。
【００９１】
例えば、前記分光測光はシングルスポット分光測光であり得る。その分光測光測定は標準化条件下で実行され得る。例えば、測定を実施する係員が割り当てられ、且つ、適宜訓練を受け、測定予定の大領域を標準化してよく（例えば、予め規定してよく）、照射領域（すなわち、測定領域）を（例えば８ｍｍの標的マスクによって）予め規定し、各測定の前に分光光度計を校正する（例えば、各測定の前に自動ホワイトバランスが実行される）。
【００９２】
別の実施形態では前記写真撮影術はデジタル写真撮影術である。デジタルカメラ、フラッシュ（例えば、リングフラッシュ）、及び分光光度計からなる群より選択される１つ以上の機器を使用することによって測定値又は画像を取得することができる。
【００９３】
内視鏡装置を使用することによって測定値又は画像を取得することもできる。１つの実施形態では前記皮膚領域又は粘膜領域は内部粘膜領域であり、光反射率は内視鏡による方法によって測定される。例えば、本発明による方法を用いて内部粘膜を冒す疾患、例えば、クローン病などとそれらの疾患の治療を診断及びモニターすることができる。
【００９４】
画像撮影方法及び画像撮影装置、画像撮影機器の設定、被写体と画像撮影機器の配置（すなわち、画像の奥行）、及び露光量などの標準化条件下で画像を取得することができる。例えば、色の対比を改善し、且つ、日陰効果を低減させる標準化のためにフラッシュを使用してよい。幾つかの画像（例えば、異なる時点における同じ領域の幾つかの画像、及び／又は同じ時点又は異なる時点のどちらかにおける異なる領域の幾つかの画像）を比較する例では、同じ部屋でそれらの画像を取得してよく、その部屋では照明（利用可能な全ての照明又はある特定の予め規定された照明のどちらか）が点いており、且つ、ウィンドウカーテン及び／又は暗幕（利用可能な全てのウィンドウカーテン及び／又は暗幕、又はある特定の予め規定されたウィンドウカーテン及び／又は暗幕のどちらか）が閉められている。１つの実施形態ではカメラ内蔵フラッシュのスイッチを切り、標準化外部フラッシュのスイッチを入れる。幾つかの画像について異なるカメラを使用する場合にこのことが特に重要である。例えば画像サイズ、画像形式、画像色彩設計、フラッシュ、オートモード及び／又はシーンモード、ホワイトバランス、ズーム、画像焦点、ＩＳＯ感度、シャッタースピード、画像色パラメーター等のような画像撮影機器の設定を標準化することができる。さらに、画像区間、並びにカメラと被写体又は領域との間の距離及び方向を標準化することができる。例えば、画像サイズは４：３の比率で３６４８×２７３６画素であってよく、画像形式はｒａｗであってよく、画像色彩設計はニュートラルであってよく、内蔵フラッシュのスイッチを切ってよく、外部フラッシュのスイッチを入れてよく、モードをオートに設定してよく、ホワイトバランスをオートに設定してよく、ズームのスイッチを切ってよく、画像焦点をオートフォーカスＴＴＬに設定してよく、ＩＳＯ感度を規定値（例えば、２００と４００の間の値）に設定してよく、シャッタースピードをオートに設定してよく、且つ／又は画像色パラメーターをニュートラルに設定する。１つの実施形態ではＩＳＯ感度は２００である。概して、ＩＳＯ感度はできるだけ低くてよい。１つの実施形態ではカメラと被写体又は領域との間の距離は少なくとも２ｍである。概して、カメラと被写体又は領域との間の距離はフラッシュの出力に基づいて選択されるべきであり、すなわち、フラッシュ（例えば、カメラ内蔵フラッシュ又は外部フラッシュ）が適切に被写体又は領域を照明することができることを確実にするように選択されるべきである。
【００９５】
また、測定機器又は画像撮影機器の準備、例えば、分光光度計の測定絞りの消毒方法を標準化することができる。また、画像取得前の大領域及び／又は１つ以上の断片領域の前処理、例えば、大領域及び／又は１つ以上の断片領域の被覆、除覆、洗浄、乾燥、及び／又は消毒を標準化することができる。測定値又は画像を取得するために同じ係員を選択すること、及び、全ての標準化条件において前記係員を適切に訓練することによって測定条件又は画像撮影条件をさらに標準化することができる。
【００９６】
一つの実施形態では前記画像は大領域を表す。
【００９７】
前記画像は患者識別カード、病院バーコード、ＱＲコード又はそのようなものなどの識別対象物も含み得る。
【００９８】
１つの実施形態では前記画像は圧縮されていない、又は無損失型若しくはほぼ無損失型で圧縮されている形式、すなわち、画像撮影機器（例えば、カメラ、スキャナー等）の画像センサーに由来する最小限に加工されたデータを含む形式で保存される。一つの実施形態では前記画像はＲａｗ形式で保存される。別の実施形態では前記画像はＴｉｆ形式で保存される。前記画像を例えばさらなる分析又は視覚化のためにＲａｗ形式以外の形式でエクスポートすることができる。例えば、前記画像をＴｉｆ、Ｐｎｇ、又は他の無損失圧縮画像形式からなる群より選択される形式に変換することができる。１つの実施形態では前記画像をＲａｗ形式で保存し、まずＴｉｆ形式に変換し、次にＴｉｆ形式をＰｎｇ形式に変換する。１つの実施形態ではＲａｗ形式からエクスポート用の形式への変換は無損失圧縮又はほぼ無損失圧縮である。例えば適切なＲａｗコンバーター又はグラフィクスソフトウェア、例えば、Ａｄｏｂｅ  Ｐｈｏｔｏｓｈｏｐ、Ｃｏｒｅｌ  Ｐａｉｎｔ  Ｓｈｏｐ、Ｃｏｒｅｌ  Ｐｈｏｔｏ  Ｐａｉｎｔ、Ｉｒｆａｎ  Ｖｉｅｗ、ＧＩＭＰ、Ｐａｉｎｔ．  ＮＥＴ、又はそのようなものを選択することによってこれを達成することができる。純粋に視覚化するためには前記画像を他のあらゆる適切な形式、例えば、Ｊｐｅｇなどに変換してもよい。
【００９９】
画像撮影機器、露光量、又は他の可変的な画像撮影条件におけるあらゆる潜在的な差異を調節するため、前記画像は色校正ツール（例えば、グレイカード及び／又はカラーカード）などの標準対照被写体を含み得る。１つの実施形態ではその色校正ツールは例えば欧州特許第１２４０５４９号明細書、国際公開第２００４／０２８１４４号パンフレット、及び／又は国際出願第ＰＣＴ／ＳＥ２０１１／０５０３６７号明細書に記載されるＱＰ校正カードである。
【０１００】
したがって、紅斑値の基礎となるデータ、例えば、Ｌ*値及びａ*値は色校正ツールなどの基準に対して正規化され得る。
【０１０１】
１つの実施形態では紅斑値はａ*及びＬ*の最大値に基づいて正規化される。
【０１０２】
例えば、異なる測定方法又は画像撮影方法に基づく、及び／又は異なる色深度に基づく幾つかの紅斑値を比較するため、紅斑値は１００％に設定されているそれぞれの最大値に対して比較した相対値に変換され得る。
【０１０３】
所望により、皮膚発赤又は紅斑又は付随する評価色値を視覚化及び／又は分析するために画像を擬似カラー画像に変換してよい。例えば、前記画像を（赤外線カメラによって提供されるカラー画像に類似する）擬似カラー画像、例えば、擬似グレイスケール画像又は擬似レッドスケール画像に変換することができ、その画像の中で紅斑値はグレイスケール又はレッドスケールで表される（図２を参照のこと）。前記擬似カラー画像ではあらゆる「非赤色」ａ*値（又は負のａ*値；例えばＬ*ａ*ｂ*色空間において緑色を表す）を予め規定された値に設定してよい。一つの実施形態ではあらゆる負のａ*値が最小赤色値に設定される。例えば、色空間がＬ*ａ*ｂ*色空間であり、且つ、色深度がチャンネル当たり８ビットである場合、１２７以下のあらゆるａ*値を１２８に設定してよい。過剰露光を検出するためにそのような擬似カラー画像を使用してもよい。その後にそのような過剰露光画像を分析から除外してよい。
【０１０４】
１つの実施形態では紅斑強度が上昇するにつれてＬ*値が減少する。その他の実施形態では紅斑強度が上昇するにつれてａ*値が増加する。別の実施形態では紅斑強度が上昇するにつれてＬ*値が減少し、且つ、ａ*値が増加する。
【０１０５】
一つの実施形態ではＬ*値とａ*値だけが考慮される。前記実施形態ではＬ*値とａ*値を使用するだけで紅斑又は皮膚色が評価され、したがって、Ｌ*値とａ*値に基づくだけで紅斑値又は皮膚赤色値又は赤色値が算出される。しかしながら、Ｌ*ａ*ｂ*色空間のａ*値は緑色を表す負のａ*値を含むことがあり得るので、緑色も本発明の方法において考慮してよい。皮膚又は粘膜においては通常は正のａ*値（又は赤色値）が負のａ*値（又は緑色値）に対して優勢であるのでそれらの負のａ*値は皮膚領域又は粘膜領域の平均紅斑値に大して影響せず、それ故にどのような負のａ*値も除外する必要がない。１つの実施形態では全てのａ*値、すなわち、負のａ*値並びに正のａ*値が考慮される。したがって、１つの実施形態では負のａ*値を有する画像のあらゆる画素が平均紅斑値の計算に含まれる。しかしながら、別の実施形態では正のａ*値だけが考慮される。前記実施形態によれば、負のａ*値を有する画像のあらゆる画素が平均紅斑値の計算から除外される。他のあらゆるパラメーター、例えば、黄色、青色又は他のあらゆる色の値などが無視される。前記実施形態によれば、専ら（黒色から白色までの）輝度の値と赤色の値（緑色の値を含み得る）、例えば、Ｌ*値とａ*値に基づいて紅斑値が算出される。
【０１０６】
一つの実施形態では紅斑値は、どのような等級区分又は階級も有しない、すなわち、どのような予め規定された等級にも依存していない連続的な紅斑強度測定値を提供する。
【０１０７】
１つの実施形態では本発明の方法は幾つかの時点で、例えば、治療前、治療中、及び／又は治療後、紅斑の発症前、発症中、及び／又は発症後、紅斑の改善前、改善中、及び／又は改善後の１つ以上の時点で繰り返される。
【０１０８】
とりわけ、対象の皮膚領域又は粘膜領域の光反射率は紅斑の発症又は進行の前、その間、及び／又はその後の１つ以上の時点、又は紅斑の改善又は退行の前、その間、及び／又はその後の１つ以上の時点、又は医薬調製物又は美容調製物の投与期間の前、その間、及び／又はその後の１つ以上の時点、又は治療（例えば、皮膚領域又は粘膜領域の局所的治療、又はその対象の全身的治療）期間の前、その間、及び／又はその後の１つ以上の時点において測定される。前記紅斑値のうちの２つ以上の間の傾き、例えば、２つ以上の後続の測定値又は紅斑値の間の傾き、又は治療期間若しくは観察期間中の２つ以上の測定値又は紅斑値の間の傾きを決定することができる。したがって、あらゆる治療法（例えば、放射線）及び／又は紅斑の出現の前に採られた測定値に基づいて算出された紅斑値はベースライン紅斑値であり得る。あらゆる治療法（例えば、放射線）及び／又は紅斑の出現の間又はその後に採られた測定値に基づいて算出されたあらゆる紅斑値はフォローアップ紅斑値であり得る。
【０１０９】
２つ以上の紅斑値の間の傾き、例えば、２つ以上の後続の測定値又は紅斑値の間の傾き、又は治療期間若しくは観察期間中の２つ以上の測定値又は紅斑値の間の傾きを決定することができる。２つ以上の紅斑値の間での紅斑値の増加は紅斑の進行を示している。紅斑値の重大な変化が無いこと（又は２つ以上の紅斑値の間に傾きが無いこと）は安定な皮膚状態又は粘膜状態を示している。２つ以上の紅斑値の間での紅斑値の減少は紅斑の退行を示している。
【０１１０】
一つの実施形態では紅斑が放射線照射によって引き起こされ、且つ、放射線誘導性皮膚炎（放射線皮膚炎、又は放射線皮膚炎とも呼ばれる）及び日焼けからなる群より選択され得る。
【０１１１】
１つの実施形態では紅斑が細胞毒性薬品、例えば、フルオロウラシル、カペシタビン、シタラビン、ソラフェニブ、又はペグ化リポソーム性ドキソルビシン（Ｄｏｘｉｌ）、又はチロシンキナーゼ阻害剤（例えば、ソラフェニブ及びスニチニブ）などを用いる化学療法によって引き起こされる。そのような紅斑は手掌足底感覚異常症又は手足症候群とも呼ばれ得る。
【０１１２】
一つの実施形態では紅斑は薬物摂取、例えば、抗生物質（スルホンアミド類、ペニシリン類、セフィキシム）、バルビツエート類、ラモトリジン、フェニトイン（例えば、ディランチン）、非ステロイド性抗炎症薬（ＮＳＡＩＤ）、又はＥＧＦＲ阻害剤などの摂取、例えば、抗ＥＧＦＲ抗体療法、特にセツキシマブ（エルビタックス（登録商標））の投与によって引き起こされる。
【０１１３】
一つの実施形態では紅斑はアレルゲン、例えば、アレルギー試験用の様々なアレルゲン、ウルシオール（ツタウルシ又はウルシによって産生される樹脂）、ペニシリン、ラテックス、又はスズメバチ、アカヒアリ及びミツバチの毒針などへの曝露によって引き起こされる。
【０１１４】
一つの実施形態では紅斑は例えば白癬（たむし）、又はカンジダなどの真菌感染症によって引き起こされる。
【０１１５】
一つの実施形態では紅斑は例えばスタフィロコッカス、ストレプトコッカス、又は例えば梅毒、ベジェル、ピンタ及びイチゴ腫などのトレポネーマ病による細菌感染症によって引き起こされる。
【０１１６】
一つの実施形態では紅斑はウイルス感染症によって引き起こされ、帯状疱疹、風疹、疱疹、手足口病、エンテロウイルス感染症、水痘、又はエリスロウイルス感染症（伝染性紅斑又は第５病）からなる群より選択され得る。
【０１１７】
一つの実施形態では紅斑は皮膚疾患によって引き起こされ、その皮膚疾患は乾癬、アトピー性湿疹又はアトピー性皮膚炎（神経皮膚炎）、湿疹、又はニキビからなる群より選択され得る。
【０１１８】
一つの実施形態では紅斑は内部粘膜又は外部粘膜、例えば、口腔粘膜、鼻粘膜、又は小腸粘膜を冒す疾患によって引き起こされ、炎症性腸疾患、クローン病（Ｍｏｒｂｕｓ  Ｃｒｏｈｎ又はＣｒｏｈｎ’ｓ  ｄｉｓｅａｓｅ）、アフタ性口内炎、結膜炎、慢性閉塞性肺疾患、消化性潰瘍、過度の飲酒、及び胃炎からなる群より選択され得る。
【０１１９】
一つの実施形態では紅斑は赤面などの身体表現性障害によって引き起こされる。
【０１２０】
上に明記された紅斑を評価するための方法の全ての実施形態、実施例、定義及び説明は本発明のこの態様にも当てはまる。
【０１２１】
上に記載されたように、紅斑、例えば、放射線皮膚炎の主観的評価には米国腫瘍放射線治療グループ（ＲＴＯＧ）と米国国立癌研究所（ＮＣＩ）によって開発された分類システムである「有害事象共通用語基準」（ＣＴＣＡＥ、例えばＣＴＣＡＥ第４．０３版）のような有効な評価ツールが利用可能である。
【０１２２】
前記ＣＴＣＡＥ等級区分によると、第１級放射線皮膚炎にはわずかな紅斑又は乾燥性落屑が含まれ、それらには掻痒、皮膚膨満、脱毛、及び色素変調が伴い得る。これらの皮膚炎症は通常は放射線治療の開始から二〜三日又は最大で二〜三週間の後に生じる。第２級放射線皮膚炎の皮膚炎症にはほとんどが皮膚の皺及び襞に限局されている中程度から高度の紅斑又は斑状の湿性落屑、及び中程度の浮腫が含まれる。これらの皮膚炎症は多くの場合に痛みを伴い、感染症のリスクの上昇を有する（Ｈｙｍｅｓ、Ｓｔｒｏｍ、  ＆  Ｆｉｆｅ、２００６年）。前記ＣＴＣＡＥ等級区分による第３級放射線皮膚炎では湿性落屑の領域が皮膚の皺以外の領域にまで広がる。多くの場合に軽度の外傷と摩擦に由来する出血が存在する。第４級放射線皮膚炎は皮膚の壊死と表皮の全層の潰瘍を特徴とする生命を脅かす状態である。特に高い自発的出血の危険性が存在する。これらの変化は非常な痛みを伴い、治癒不良を特徴とする。皮膚移植が必要とされる場合があり得る。前記ＣＴＣＡＥ等級区分による第５級放射線皮膚炎は患者の死亡をもたらす。
【０１２３】
１つの実施形態では前記紅斑は第０級、第１級、第２級、第３級、又は第４級の放射線皮膚炎である。１つの実施形態では前記紅斑は第０級以上、第１級以上、第２級以上、第３級以上、又は第４級以上の放射線皮膚炎である。１つの実施形態では前記紅斑は第０級から第１級に応じた放射線皮膚炎である。１つの実施形態では前記紅斑は第０級から第２級に応じた放射線皮膚炎である。１つの実施形態では前記紅斑は第０級から第３級に応じた放射線皮膚炎である。１つの実施形態では前記紅斑は第０級から第４級に応じた放射線皮膚炎である。
【０１２４】
１つの実施形態では前記対象はヒトである。１つの実施形態では前記対象は非ヒト動物である。その非ヒト動物は霊長類（非ヒト霊長類）、ブタ、げっ歯類、又はウサギからなる群より選択される哺乳類動物であり得る。一つの実施形態について、前記対象は放射線で治療されている、又は治療される癌患者である。１つの実施形態では前記対象は放射線で治療されている、又は治療される乳癌患者である。その乳癌患者は手術、例えば、乳房温存手術を受けていてもよい。１つの実施形態では前記対象は放射線で治療されている、又は治療される頭頚部癌（ＨＮＣ）患者である。そのＨＮＣ患者は手術を受けていてもよい。それらの対象は化学療法で処置されてもよい。
【０１２５】
１つの実施形態では放射線照射の開始前及び／又は開始時に得られた測定値又は画像に基づいて紅斑値が算出される。前記実施形態ではその紅斑値はベースライン紅斑値（すなわち、初期紅斑値又は基準紅斑値）である。放射線照射はＸ線照射、紫外線照射、及び／又は日光照射を用いる治療、又はそれらへの曝露であり得る。１つの実施形態では放射線照射によって引き起こされる紅斑は上で説明されたＣＴＣＡＥによる第２級以上の放射線皮膚炎である。１つの実施形態では放射線照射によって引き起こされる紅斑は上皮融解、落屑、及び／又は発疹を特徴とする。１つの実施形態では放射線照射によって引き起こされる紅斑は初期又は軽度の上皮融解、落屑、及び／又は発疹を特徴とする。
【０１２６】
放射線照射の開始前又は開始時の紅斑値（ベースライン紅斑値、又は初期紅斑値）並びに本発明による放射線照射の初期段階の間に測定された紅斑値の間の傾きの計算によって紅斑を発症する危険性、紅斑の強度、及び／又は紅斑の発症時期の予測が可能になる。したがって、紅斑値は放射線療法における予後診断因子を提供し、且つ、放射線の線量及び／又は放射線照射期間を評価する、且つ／又は適合させるために使用され得る。さらに、ある治療法及び／又は予防法、例えば、放射線の１つ以上の有害事象又はある治療法の１つ以上の有害薬物反応の治療法及び／又は予防法の用量及び／又は期間を評価する、且つ／又は適合させるためにベースライン紅斑値及び／又はあらゆるフォローアップ紅斑値を使用することができる。前記方法に関して、放射線皮膚炎の予期される重症度、並びに予防法及び／又は治療法を処置する必要に迫られるまでの時間についての予後診断を提供することが可能である。
【０１２７】
本発明の実施例において理解することができるように、ベースライン紅斑値は等級並びにある特定の等級の（例えば、第２級の）放射線皮膚炎が発症するまでの時間と強く相関している。
【０１２８】
したがって、本発明の方法は紅斑の等級、ある特定の等級の紅斑が生じるまでの時間、並びに対象がある特定の等級の紅斑を発症する個々の危険性を客観的に予測及び評価するために用いられ得る。
【０１２９】
その紅斑値と対照的に、フィッツパトリックスケール（表２）は本発明の基礎となる研究においてその開発された放射線皮膚炎の等級と相関しなかった。フィッツパトリックスケール（フィッツパトリック皮膚タイピングテスト又はフィッツパトリックフォトタイピングスケールとも呼ばれる）は皮膚色についての数値分類スキーマである。フィッツパトリックスケールはＵＶ光に対する様々な種類の皮膚の反応を分類するための方法としてハーバードの皮膚科医であるトーマス  Ｂ．  フィッツパトリックによって１９７５年に開発された。フィッツパトリックスケールは依然として皮膚色についての皮膚科学研究用の広く認められているツールである。フィッツパトリックスケールは幾つかの要素、すなわち、遺伝的素質、日光曝露への反応、及び日焼けの習慣を測定する。
【０１３０】
【表１】
0006557210.tif 000002
【０１３１】
一つの実施形態では皮膚タイプと無関係に本発明の方法を用いてよく、且つ、本発明の方法は基本皮膚色を選ぶことすらない。例えば、紅斑又は皮膚色は類似の、及び／又は異なる基本皮膚色を有する対象において評価され得る。（例えば異なる人種の）異なる皮膚色を有する対象の比較のため、基準紅斑値又は基準領域若しくは基準対象の２つ以上の紅斑値の間の基準勾配値を作成してよく、測定された紅斑値を前記基準と比較してよい。
【０１３２】
また、本発明の方法に関して、赤以外の色又は赤に加えた色、特に白色又は黒色を特徴とする紅斑又は皮膚炎症を評価することが可能である。例えば、乾癬は多くの場合に基底となる紅斑と共に白色又は銀色の鱗屑を特徴とする。別の例では紅斑は、特に例えばスティーブンス・ジョンソン症候群又は中毒性表皮壊死症（ＴＥＮ、「ライエル症候群」としても知られる）のときのように角化細胞の壊死が起きる場合、非常に暗い色の皮膚炎症を特徴とすることもあり得る。さらに、本発明の方法は創傷及び創傷治癒を文書化及び／又は評価するために用いられ得る。概して、本発明の方法は皮膚又は粘膜の色（又は紅斑）の変化を２つ以上の測定値の間で評価することを可能にする。
【０１３３】
乳癌における放射線療法、放射線療法によって引き起こされる皮膚反応、上で言及されたＣＴＣＡＥ等級区分による紅斑の視覚的評価、分光測光法及び分光測光分析についての説明は例えばＨａｉｇｉｓ、２００５年（Ｋｒｉｓｔｉｎｅ  Ｈａｉｇｉｓ、アルベルト・ルードヴィヒ大学フライブルク・イム・ブライスガウ医学部の医学博士の学位を獲得するための博士論文）の中に見出され得る。
【０１３４】
別の態様では本発明は本発明による方法を用いることによる紅斑のモニタリングと分析のためのソフトウェアツールを提供する。ソフトウェアツールはコンピューターベースで使用される。したがって、本発明の方法は概してコンピューターに実装されている。したがって、本発明による上記の方法はコンピューター又はコンピューター様の機器の上で動くソフトウェアプラットフォームに統合され得る。前記ソフトウェアプラットフォームはウェッブベース（又はクラウドベース）でもよく、且つ、画像作成及びデータ入力（例えば、可動性の画像撮影及び／又はコンピューター画像撮影、患者識別及び／又は患者情報）のためのツール、データ管理及びデータ出力（例えば、データベース及び／又は統計）のためのツール、並びにデータセキュリティー（例えば、暗号化）のためのツールを含み得る。例えば、スマートフォン、タブレット、ｉＰｈｏｎｅ、ｉＰａｄ等のような携帯機器を本発明の方法のために使用してよい。
【０１３５】
本発明によるソフトウェアツールは可動性アプリケーションであり得、又は別の実施形態では固定式装置（例えば、放射線照射機）のソフトウェアプラットフォームに統合し得る。本発明の方法のあらゆる時点において、方法に関連するデータをインターネット又はローカルエリアネットワーク又はワイヤレスネットワークなどのコンピューターベースのネットワークに伝送することができ、ウェッブベース又はクラウドベースのサーバー又はコンピューターのような別の物理的な位置又は複数の位置においてその方法を継続することができる。
【０１３６】
臨床データの文書化及び分析のための医療用ソフトウェアツールの例は、例えば、ＲＩＳＥ（リサーチ・インダストリアル・システムエンジニアリングＧｍｂＨ）社とウィーン工科大学により開発され、ＲＩＳＥ社により供給されるインテグレーティング・クリニカル・サービス（ＳＰＩＣＳ）システム用セキュアプラットフォーム、例えば、ＳＰＩＣＳ  ＳＯＵＬ（ｈｔｔｐ：／／ｓｏｕｌ−ｄｏｃ．ｃｏｍ／）及びＳＰＩＣＳ  ＶＡＳＣ（ｈｔｔｐ：／／ｖａｓｃ−ｗｏｒｌｄ．ｃｏｍ／）、並びに（上で言及された）ＳＰＩＣＳベースのＷ．Ｈ．Ａ．Ｔシステムである。先行技術のソフトウェアツール、特にＷ．Ｈ．Ａ．Ｔシステム、並びに先行技術において説明される紅斑を評価するための方法は、本発明の方法を用いることで、とりわけ、紅斑値又は系統的に得られる黄色値の計算を用いることで改善され得る。
【０１３７】
本発明の方法に加えて紅斑の主観的評価を行ってもよい。よって、紅斑の等級は例えばＣＴＣＡＥに従って医師により臨床的に評価され得る。本発明の方法によって計算された紅斑値を主観的に評価された紅斑等級と比較してよい。
【０１３８】
本発明による方法、特に紅斑値の計算を用いてある治療法又は疾患によって引き起こされた紅斑を評価することができ、紅斑を改善し得る治療法の有効性を評価することができ、及び／又は美容調製物の混濁度を評価することができる。例えば、医薬品及び／又は美容製品の有効性を示すために本発明の方法を用いることができる。前記医薬品は紅斑の予防及び／又は改善を目的としてよい。前記美容製品は例えば紅斑の外観の防止又は改善のため、及び／又は紅斑の被覆のための非治療用製品であってよい。さらに、ある対象を放射線照射が原因の紅斑になり易いものと特定するために本発明の方法を用いることができる。本発明の方法によって日々の手入れにおける紅斑管理の改善が可能になる。また、例えばある治療法についての、ある予防法についての、又はある臨床試験の参加についての対象の選択及び／又は脱選択のために紅斑値、特にベースライン紅斑値（すなわち、あらゆる治療の前の初期紅斑値、又は基準紅斑値）の計算を用いることができる。例えば、ベースライン紅斑値、並びにあらゆるフォローアップ紅斑値、又はそのような紅斑値のうちの２つ以上の間の傾きを、例えば放射線皮膚炎を発症する危険性が低い患者による試験データの薄弱化を妨げるための有望なスクリーニングパラメーターとして臨床試験の計画及び実施において使用してよい。また、例えばＩＳＯ  １７１６６  ＣＩＥ  Ｓ  ００７／Ｅに従って標準紅斑曲線、標準紅斑線量、及び／又は紅斑基準作用スペクトルを作成するために紅斑値を使用してよい。
【０１３９】
加えて、例えば医薬製剤の研究及び臨床前開発において、又は美容調製物の開発において動物モデルでの紅斑、例えば、皮膚毒性を評価するために本発明の方法を用いることができる。例えば、急性投与毒性試験及び／又は反復投与毒性試験において本発明による方法を用いることができる。医薬調製物又は美容調製物が皮膚に炎症を起こす可能性を判定するために本発明の方法を用いることもできる。
【０１４０】
さらに、ベースライン紅斑値又は放射線照射治療の初期段階の間（例えば、一日に１回の分割放射線照射による放射線療法の第１週の間）の測定値に基づいて算出された１つ以上の紅斑値、又はそのような２つ以上の紅斑値の間の傾きを使用して放射線皮膚炎を発症する危険性、放射線皮膚炎を発症するまでの時間、及び／又は放射線皮膚炎の予期される重症度、並びに予防的介入をとる必要に迫られるまでの時間を予め評価することができる。
【０１４１】
本発明の方法に関して、測定値又は画像を数回、幾つかの方法により、及び／又はあらゆる時点において分析してよいので複数の測定から取得されたあらゆるデータを再分析することが可能である。
【０１４２】
本発明の方法のさらに別の用途は食肉の分析である。食肉は様々な色合いの赤色、並びに白色及び暗色を特徴とするため、本発明の方法、特に本発明の式による赤色値の計算を使用して食肉が由来する動物種、食肉が由来する動物の部位、食肉の新鮮さの程度、並びに食肉の脂肪含有量を特定することができる。
【０１４３】
本発明は、対象のある領域の測定値とそのような対象に対して得られた紅斑値との間の割り振りの自動化をさらに可能にする携帯機器のソフトウェアプラットフォームに統合されている可動性アプリケーションソフトウェアを使用することによる紅斑の客観的な評価と遠隔モニタリングのための計算方法にも関する。本発明の方法はあらゆる電子的臨床モニタリング・サービスシステムとリンク可能である新規の時間節約型であり、高費用効率型である技術も提供する。
【０１４４】
とりわけ、本発明は、対象の紅斑を評価するための方法であって、前記対象の皮膚領域又は粘膜領域の光反射率を測定するために携帯機器のソフトウェアプラットフォームに統合されているソフトウェアアプリケーションを使用するステップ、Ｌ*ａ*ｂ*色空間に従って前記測定のＬ*値及びａ*値を取得するステップ、及び式（Ｌ*max−Ｌ*）×ａ*に従って紅斑値を算出するステップを含む前記方法にも関する。さらに、本発明は、本発明に従って紅斑値を算出することにより対象が放射線照射によって引き起こされる紅斑を発症する危険性を評価するための方法、放射線照射のために対象が発症する紅斑の強度を予測するための対応的方法、対象が放射線照射によって引き起こされる紅斑を発症するまでの時間を予測するための対応的方法、対象において紅斑を引き起こす医薬調製物又は美容調製物又はアレルゲンの能力についてその医薬調製物又は美容調製物又はアレルゲンを分析するための対応的方法、及び対象において紅斑の外観を改善する医薬調製物又は美容調製物の能力についてその医薬調製物又は美容調製物を分析するための対応的方法に関する。本発明はさらに式（Ｌ*max−Ｌ*）×ａ*に基づいて対象の皮膚色を分析するための方法、対象の創傷又は創傷治癒を文書化又は分析するための方法、対象の血腫等級区分及び血腫発症を文書化するための方法、及び対象の痣又は黒子又はそばかすを文書化及び客観的に評価するための方法に関する。別の態様では本発明は、式（Ｌ*max−Ｌ*）×ａ*に基づいて食肉を分析する方法に関する。別の実施形態では本発明は、携帯機器のソフトウェアプラットフォームに統合されているソフトウェアアプリケーションを使用するステップ、前記対象の皮膚領域又は粘膜領域又は結合組織領域の光反射率を測定するためのステップ、Ｌ*ａ*ｂ色空間に従って前記測定のＬ*値及びｂ*値を取得するステップ、及び式（Ｌ*max−Ｌ*）×ｂ*に従って黄色値を算出するステップを含む対象の黄色度を計算するための等しく派生した方法を指し、紅斑値と組み合わされている対応的方法を対象の黄疸又はチアノーゼの文書化及び分析のために使用することができる。
【０１４５】
本発明は、紅斑及び他のあらゆる皮膚色を分析及びモニターするための計算方法であって、携帯機器のソフトウェアプラットフォームに統合されている可動性アプリケーションソフトウェアを利用すること、皮膚領域又は粘膜領域の光反射率を測定すること、前記測定を分析し、且つ、紅斑値を算出するための新規の式を適用することを含む前記計算方法も提供する。皮膚赤色値又は紅斑値は皮膚の発赤又は紅斑についての全強度範囲にわたる客観的で連続的な測定値を提供する。したがって、皮膚赤色紅斑値が大きいほど紅斑の強度が高くなる。クイックレスポンスコード又はバーコードの追加的検出により、対象とそのような対象の取得された色値との間の割り振り処理の自動化が可能になる。その結果、本発明の計算方法によって、あらゆる電子的臨床モニタリング・サービスシステムとリンク可能である新規の時間節約型であり、高費用効率型である技術がもたらされる。
【０１４６】
別の態様では本発明は、紅斑を引き起こす医薬調製物又は美容調製物又はアレルゲンの能力についてその医薬調製物又は美容調製物又はアレルゲンを分析するために携帯機器のソフトウェアプラットフォームに統合されている前記ソフトウェアアプリケーションが使用される方法に関する。別の態様では本発明は、紅斑の外観を改善する医薬調製物又は美容調製物の能力についてその医薬調製物又は美容調製物を分析するために携帯機器のソフトウェアプラットフォームに統合されている前記ソフトウェアアプリケーションが使用される方法に関する。
【０１４７】
別の実施形態では前記対象の皮膚領域又は粘膜領域の光反射率は医薬品の治療的使用又は美容調製物の局所的使用の前に少なくとも１回測定され、且つ、その医薬品の治療的使用又は化粧品の局所的使用の間に１つ以上の時点で測定され、紅斑値が各測定について算出される。「前記医薬品の治療的使用又は美容調製物の局所的使用」という用語は、前記態様に関して、その医薬品の治療的使用又は美容調製物の局所的使用の期間内及び／又は期間後の１つ以上の時点を指す。例えば、対象の皮膚領域又は粘膜領域の光反射率は医薬品の治療的単回使用若しくは反復使用又は美容調製物の局所的単回使用若しくは反復使用の後の１つ以上の時点で測定される。対象の皮膚領域又は粘膜領域の光反射率は医薬品の治療的使用期間又は美容調製物の局所的使用期間の後の１つ以上の時点、すなわち、その医薬調製物又は美容調製物がもはや適用されなくなった１つ以上の時点で測定されてもよい。前記紅斑値のうちの２つ以上の間の傾き、例えば、２つ以上の後続の測定値又は紅斑値の間の傾き、又は治療期間若しくは観察期間中の２つ以上の測定値又は紅斑値の間の傾きを決定することができる。適用期間中の２つ以上の紅斑値の間での紅斑値の増加は紅斑の進行、すなわち、その医薬調製物又は美容調製物が紅斑を引き起こすこと、又は紅斑の予防に有効ではないことを示している。適用期間中の２つ以上の紅斑値の間で紅斑値に重大な変化が無いことは安定な皮膚状態又は粘膜状態、すなわち、その医薬調製物又は美容調製物が紅斑を引き起こさないこと、紅斑の予防に有効であること、紅斑の治療に有効ではないこと、又は紅斑の外観の改善に有効ではないことを示している。適用期間中の２つ以上の紅斑値の間での紅斑値の減少は紅斑の退行、すなわち、その医薬調製物又は美容調製物が紅斑の治療又は紅斑の外観の改善に有効であることを示している。
【０１４８】
第６の態様の別の実施形態では美容製品の混濁度が分析される。その美容製品はメイクアップ、ファウンデーション、フェイスパウダー、カモフラージュ、カバースティック、又はコンシーラーであり得る。その製品の局所的使用後の紅斑値の減少はその美容製品が紅斑の被覆に有効であることを示している。
【０１４９】
本発明は携帯機器のソフトウェアプラットフォームに統合するソフトウェアアプリケーションの使用を含む計算方法にも関し、測定値又は画像があらゆる適切な可動性測定方法又は画像撮影方法、例えば、分光測光、ビデオ、ビデオフレームバッファー、及び／又はデジタル写真撮影術などによって取得され得ることを意味している。
【０１５０】
本発明の好ましい実施形態では測定値は、スマートフォン（例えば、ｉＰｈｏｎｅ４、ｉＰｈｏｎｅ４Ｓ、ｉＰｈｏｎｅ５又は上位機種）のソフトウェアプラットフォーム又はタブレットコンピューター（例えば、ｉＰａｄ、ｉＰａｄ  Ａｉｒ、ｉＰａｄ  Ｒｅｔｉｎａ又は上位機種）に統合するソフトウェアアプリケーションを使用することによって取得される。
【０１５１】
有利な実施形態ではＫｉｎｅｃｔ様３Ｄ画像撮影センサーを有するスマートフォン又は光学式ヘッドマウントディスプレイ（例えば、グーグルグラス）を有するウェアラブルコンピューターのソフトウェアプラットフォームに統合するソフトウェアアプリケーションを使用することによってその測定値が取得され得る。
【０１５２】
使用されているソフトウェアアプリケーションを内視鏡画像撮影機器のソフトウェアプラットフォームに統合することによって測定値又は画像を取得することもできる。したがって、１つの実施形態では測定される皮膚領域又は粘膜領域は内部粘膜領域であり、光反射率は内視鏡的方法によって測定される。例えば、本発明による方法を用いて内部粘膜を冒す疾患、例えば、クローン病などとそれらの疾患の治療を診断及びモニターすることができる。
【０１５３】
本発明の好ましい実施形態では前記方法は、可動性ソフトウェアプラットフォームに統合されている前記ソフトウェアアプリケーションが対象ＩＤとこの対象の分析領域の取得された色値の自動割り振りを可能にするバーコード又はクイックレスポンスコード又は近距離タグを自動的に検出する計算ステップをさらに含む。
【０１５４】
別の実施形態では異なる測定方法又は画像撮影方法に基づく、及び／又は異なる色深度に基づく幾つかの紅斑値を比較するため、紅斑値は１００％に設定されているそれぞれの最大値に対して比較した相対値に変換され得る。本発明の好ましい実施形態では、算出された発赤値（正のａ*）が式（Ｌ*max−Ｌ*）×ａ*／（ａ*max×Ｌ*max）に従ってＬ*とａ*の最大値に基づいて正規化される。
【０１５５】
別の実施形態ではさらに算出された黄色値（正のｂ*）が式（Ｌ*max−Ｌ*）×ｂ*／（ｂ*max×Ｌ*max）に従ってＬ*とｂ*の最大値に基づいて正規化され、より有利な実施形態ではさらに算出された青色値（負のｂ*）が式（Ｌ*max−Ｌ*）×ｂ*／（ｂ*min×Ｌ*max）に従ってＬ*の最大値とｂ*の最小値に基づいて正規化される。
【０１５６】
測定された負のａ*（緑色）値の事例では、式（Ｌ*max−Ｌ*）×ｂ*／（ｂ*min×Ｌ*max）に従って類似の技法が引き出され得る。提供された正規化方法のセットは、対象の黄疸又は血腫又はチアノーゼの発症及び治療の間に見られる他のあらゆる観察皮膚色についての時間依存的紅斑分析に使用され得る。
【０１５７】
先に記載されたように、本発明は、紅斑評価とモニタリングのための携帯機器のソフトウェアプラットフォームに統合されている可動性ソフトウェアアプリケーションであって本発明による派生的方法を適用する前記可動性ソフトウェアアプリケーションを使用する計算方法にも特に関する。したがって、この文脈では本発明による上記の方法のいずれもオンラインベース又はクラウドベースのソフトウェアプラットフォームに、例えば、ソフトウェアスイートに統合してよいことがさらに考慮されねばならない。本発明の好ましい実施形態では前記ソフトウェアアプリケーションは、対象の測定領域の遠隔紅斑評価とモニタリングをさらに可能にするウェッブベース（又はクラウドベース）の画像分析・モニタリングプラットフォームに直接的にリンクする携帯機器のソフトウェアプラットフォームに統合しており、１つの実施形態ではそのようなソフトウェアアプリケーションは画像作成及びデータ入力（例えば、可動性の画像撮影及び／又はコンピューター画像撮影、自動患者識別及び／又は患者情報の割り振り）のためのツール、データ管理及びデータ出力（例えば、データベース及び／又は統計）のためのツール、並びにデータセキュリティー（例えば、暗号化）のためのツールへのアクセスをさらに有し、又はそれらのツールを含み得る。例えば、スマートフォン、コンピュータータブレット、ｉＰｈｏｎｅ類（例えば、ｉＰｈｏｎｅ４、ｉＰｈｏｎｅ４Ｓ、ｉＰｈｏｎｅ５又は上位機種）、ｉＰａｄ類（例えば、（例えば、ｉＰａｄ、ｉＰａｄ  Ａｉｒ、ｉＰａｄ  Ｒｅｔｉｎａ又は上位機種）等のような携帯機器を本発明の方法のために使用することができる。
【０１５８】
有利な実施形態ではＫｉｎｅｃｔ様３Ｄ画像撮影センサーを有するスマートフォン又は光学式ヘッドマウントディスプレイ（例えば、グーグルグラス）を有するウェアラブルコンピューターのソフトウェアプラットフォームに統合するソフトウェアアプリケーションを使用することによってその測定値が取得され得る。
【０１５９】
現在発明者が考えている最良の実施形態として上記の実施形態が開示されてきたが、紅斑値の分析に関連する上記の方法のいずれも対象の皮膚又は粘膜又は結膜の黄色値の分析、例えば、皮膚の黄疸等級区分及び黄疸発生の客観的で時間分解的な定量分析に適用可能なそれらの実施形態から直接的に派生した計算方法と組み合わせることができることが留意されるべきである。この理由のため、提供された例は限定的なものと解釈されるべきではなく、等しく派生した方法を青色値又は緑色値の分析に、例えば、対象の皮膚領域又は粘膜領域又は結合組織領域のチアノーゼ又は血腫の時間分解的分析に用いることができる。
【０１６０】
本発明は後続の実施形態によってさらに例示される。
【０１６１】
１．
対象の紅斑を評価するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法。
【０１６２】
２．
対象が放射線照射によって引き起こされる紅斑を発症する危険性を評価するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
−次の式に従ってベースライン紅斑値を算出するステップ
（Ｌ*max−Ｌ*）×ａ*、及び
−前記対象が放射線照射によって引き起こされる紅斑を発症する危険性に前記ベースライン紅斑値を相関させるステップ
を含む前記方法。
【０１６３】
３．
放射線照射のために対象が発症する紅斑の強度を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、及び
−次の式に従ってベースライン紅斑値を算出するステップ
（Ｌ*max−Ｌ*）×ａ*、及び
−放射線照射のために前記対象が発症する紅斑の強度に前記ベースライン紅斑値を相関させるステップ
を含む前記方法。
【０１６４】
４．
対象が放射線照射によって引き起こされる紅斑を発症するまでの時間を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
−次の式に従ってベースライン紅斑値を算出するステップ
（Ｌ*max−Ｌ*）×ａ*、及び
−前記対象が放射線照射によって引き起こされる紅斑を発症するまでの時間に前記ベースライン紅斑値を逆相関させるステップ
を含む前記方法。
【０１６５】
５．
対象において紅斑を引き起こす、又は治療する医薬調製物又は美容調製物の能力についてその医薬調製物又は美容調製物を検査するための方法であって、
−前記医薬調製物又は美容調製物の投与前及び投与後に前記対象の皮膚領域又は粘膜領域の光反射率を測定するステップ、
−Ｌ*ａ*ｂ*色空間に従ってそれぞれの測定のＬ*値及びａ*値を取得するステップ、及び
−次の式に従ってそれぞれの測定の紅斑値を算出するステップ
（Ｌ*max−Ｌ*）×ａ*
を含む前記方法。
【０１６６】
６．
対象の紅斑の外観を改善する医薬調製物又は美容調製物の能力についてその医薬調製物又は美容調製物を検査するための方法であって、
−前記医薬調製物又は美容調製物の投与前及び投与後に前記対象の皮膚領域の光反射率を測定するステップ、
−Ｌ*ａ*ｂ*色空間に従ってそれぞれの測定のＬ*値及びａ*値を取得するステップ、及び
−次の式に従ってそれぞれの測定の紅斑値を算出するステップ
（Ｌ*max−Ｌ*）×ａ*
を含む前記方法。
【０１６７】
７．
対象の皮膚色を分析するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って皮膚赤色値を算出するステップ
（Ｌ*max−Ｌ*）×ａ*
を含む前記方法。
【０１６８】
８．
対象の創傷又は創傷治癒を文書化又は分析するための方法であって、
−前記対象の皮膚領域又は粘膜領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法。
【０１６９】
９．
対象の紅斑を評価するためのコンピューターベースの方法であって、
−前記対象の皮膚領域又は粘膜領域又は結合組織領域の測定光反射率を取得するステップ、及び
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法。
【０１７０】
１０．
対象の皮膚色を分析するためのコンピューターベースの方法であって、
−前記対象の皮膚領域又は粘膜領域又は結合組織領域の測定光反射率を取得すること、及び
−Ｌ*ａ*ｂ*色空間に従って前記測定のＬ*値及びａ*値を取得すること、及び
−次の式に従って赤色値を算出すること
（Ｌ*max−Ｌ*）×ａ*、及び
−Ｌ*ａ*ｂ色空間に従って前記測定のＬ*値及びｂ*値を取得すること、及び
−次の式に従って黄色値を算出すること
（Ｌ*max−Ｌ*）×ｂ*
を含む前記方法。
【０１７１】
１１．
対象の紅斑を評価するためのコンピューターベースの方法であって、
−前記対象の皮膚領域又は粘膜領域又は結合組織領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法。
【０１７２】
１２．
対象の皮膚色を分析するためのコンピューターベースの方法であって、
−前記対象の皮膚領域又は粘膜領域又は結合組織領域の測定光反射率を取得すること、及び
−Ｌ*ａ*ｂ*色空間に従って前記測定のＬ*値及びａ*値を取得すること、及び
−次の式に従って赤色値を算出すること
（Ｌ*max−Ｌ*）×ａ*、及び
−Ｌ*ａ*ｂ色空間に従って前記測定のＬ*値及びｂ*値を取得すること、及び
−次の式に従って黄色値を算出すること
（Ｌ*max−Ｌ*）×ｂ*
を含む前記方法。
【０１７３】
１３．
前記紅斑値が紅斑の強度に相関する、実施形態１から１２の何れか一項に記載の方法。
【０１７４】
１４．
前記光反射率が２つ以上の時点で測定され、前記紅斑値が各測定について算出される、実施形態１から１３の何れか一項に記載の方法。
【０１７５】
１５．
２つ以上の紅斑値の間の傾きが紅斑の発症に相関する、実施形態１４に記載の方法。
【０１７６】
１６．
２つ以上の紅斑値の間での増加が紅斑の進行を表す、実施形態１５に記載の方法。
【０１７７】
１７．
２つ以上の紅斑値の間での減少が紅斑の退行を表す、実施形態１４に記載の方法。
【０１７８】
１８．
２つ以上の紅斑値の間で傾きが無いことが安定な皮膚状態又は粘膜状態を表す、実施形態１４に記載の方法。
【０１７９】
１９．
Ｌ*ａ*ｂ*色空間において前記光反射率が測定され、前記測定から直接的にＬ*値及びａ*値が取得される、実施形態１から１８の何れか一項に記載の方法。
【０１８０】
２０．
Ｌ*ａ*ｂ*色空間以外の色空間において前記光反射率を測定し、前記測定の光反射率値をＬ*ａ*ｂ*色空間の対応する値に変換することによってＬ*ａ*ｂ*色空間に従うＬ*値及びａ*値を取得する、実施形態１から１９の何れか一項に記載の方法。
【０１８１】
２１．
前記皮膚領域又は粘膜領域が１つ以上の断片領域を含む大領域であり、前記紅斑値が各断片領域について算出される、実施形態１から２０の何れか一項に記載の方法。
【０１８２】
２２．
前記断片領域が紅斑領域、治療領域、及び／又は基準領域である、実施形態２１に記載の方法。
【０１８３】
２３．
前記紅斑値を基準紅斑値と比較する、実施形態１から２２の何れか一項に記載の方法。
【０１８４】
２４．
前記領域の光反射率がたった１つのＬ*値及びたった１つのａ*値を取得するシングルスポット測定によって測定され、前記紅斑値が前記シングルスポット値に基づいて算出される、実施形態１から２３の何れか一項に記載の方法。
【０１８５】
２５．
対象の皮膚領域又は粘膜領域の光反射率が分光測光によって測定される、実施形態１から２４の何れか一項に記載の方法。
【０１８６】
２６．
対象の皮膚領域又は粘膜領域の光反射率が前記皮膚領域又は粘膜領域の画像を取得することにより測定される、実施形態１から２５の何れか一項に記載の方法。
【０１８７】
２７．
前記画像の単画素のＬ*値及びａ*値が取得され、前記単画素について前記紅斑値が算出される、実施形態２６に記載の方法。
【０１８８】
２８．
前記皮膚領域又は粘膜領域の各画素のＬ*値及びａ*値が取得され、前記皮膚領域又は粘膜領域の各画素について前記紅斑値が算出される、実施形態２６又は２７に記載の方法。
【０１８９】
２９．
前記画像がデジタル写真撮影術によって取得される、実施形態２６から２８の何れか一項に記載の方法。
【０１９０】
３０．
平均紅斑値が単画素紅斑値に基づいて算出される、実施形態２６から２９の何れか一項に記載の方法。
【０１９１】
３１．
平均紅斑値が各断片領域について算出される、実施形態２６から３０の何れか一項に記載の方法。
【０１９２】
３２．
前記皮膚領域又は粘膜領域の光反射率がチャンネル当たり８ビット、１２ビット、１５ビット又は１６ビットの色深度を用いて測定される、実施形態２６から３１の何れか一項に記載の方法。
【０１９３】
３３．
前記皮膚領域又は粘膜領域が内部粘膜領域であり、前記光反射率が内視鏡方法によって測定される、実施形態１から３２の何れか一項に記載の方法。
【０１９４】
３４．
前記対象がヒト、非ヒト霊長類、ブタ、げっ歯類、又はウサギである、実施形態１から３３の何れか一項に記載の方法。
【０１９５】
３５．
前記対象が
−紅斑になり易い、
−紅斑を引き起こし得る治療法で処置されているか、又は処置される、
−紅斑を予防する治療法で処置されているか、又は処置される、
−紅斑を患っている、
−紅斑を治療し得る治療法で処置されているか、又は処置される、又は
−紅斑の外観を改善する治療法で処置されているか、又は処置される、
実施形態１から３４の何れか一項に記載の方法。
【０１９６】
３６．
前記対象が放射線で治療されている、又は治療される癌患者である、実施形態３４又は３５に記載の方法。
【０１９７】
３７．
前記対象が乳癌又は頭頚部癌の患者である、実施形態３６に記載の方法。
【０１９８】
３８．
放射線照射前、及び放射線照射後の１つ以上の時点で前記光反射率を測定し、２つ以上の紅斑値の間の傾きを算出し、対象が放射線照射によって引き起こされる紅斑を発症する危険性、又は放射線照射のために前記対象が発症する紅斑の強度に前記傾きを相関させ、又は前記対象が放射線照射によって引き起こされる紅斑を発症するまでの時間に前記傾きを逆相関させる、実施形態１から１２の何れか一項に記載の方法。
【０１９９】
３９．
対象が放射線照射によって引き起こされる紅斑を発症する危険性、放射線照射のために前記対象が発症する紅斑の強度、又は前記対象が放射線照射によって引き起こされる紅斑を発症するまでの時間がベースライン紅斑値及び２つ以上の紅斑値の間の傾きに基づいて評価又は予測される、実施形態３８に記載の方法。
【０２００】
４０．
美容製品の混濁度が検査される、実施形態１から１２に記載の方法。
【０２０１】
４１．
食肉を分析するための方法であって、
−前記食肉の一領域又は前記食肉の切り身全体の光反射率を測定するステップ、
−Ｌ*ａ*ｂ*色空間に従って前記測定のＬ*値及びａ*値を取得するステップ、及び
−次の式に従って赤色値を算出するステップ
（Ｌ*max−Ｌ*）×ａ*
を含む前記方法。
【０２０２】
４２．
携帯機器を使用することによって前記方法が実施される、実施形態１から４１の何れか一項に記載の方法。
【０２０３】
４３．
対象の紅斑を評価するためのコンピューターベースの方法であって、
−前記対象の皮膚領域又は粘膜領域又は結合組織領域の光反射率を測定するステップ、
−Ｌ*ａ*ｂ*色空間に従って前記測定のＬ*値及びａ*値を取得するステップ、及び
−次の式に従って紅斑値を算出するステップ
（Ｌ*max−Ｌ*）×ａ*
を含む前記方法。
【０２０４】
４４．
対象が放射線照射によって引き起こされる紅斑を発症する危険性を評価するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
−次の式に従ってベースライン紅斑値を算出するステップ
（Ｌ*max−Ｌ*）×ａ*、及び
−前記対象が放射線照射によって引き起こされる紅斑を発症する危険性に前記ベースライン紅斑値を相関させるステップ
を含む実施形態１から４３の何れか一項に記載の方法。
【０２０５】
４５．
放射線照射のために対象が発症する紅斑の強度を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、及び
−次の式に従ってベースライン紅斑値を算出するステップ
（Ｌ*max−Ｌ*）×ａ*、及び
−放射線照射のために前記対象が発症する紅斑の強度に前記ベースライン紅斑値を相関させるステップ
を含む実施形態１から４４の何れか一項に記載の方法。
【０２０６】
４６．
対象が放射線照射によって引き起こされる紅斑を発症するまでの時間を予測するための方法であって、
−放射線照射の前に前記対象の皮膚領域又は粘膜領域の光反射率を測定するステップ、
−Ｌ*ａ*ｂ*色空間に従って前記測定のＬ*値及びａ*値を取得するステップ、
−次の式に従ってベースライン紅斑値を算出するステップ
（Ｌ*max−Ｌ*）×ａ*、及び
−前記対象が放射線照射によって引き起こされる紅斑を発症するまでの時間に前記ベースライン紅斑値を逆相関させるステップ
を含む実施形態１から４５の何れか一項に記載の方法。
【０２０７】
４７．
紅斑を引き起こす医薬調製物又は美容調製物又はアレルゲンの能力についてその医薬調製物又は美容調製物又はアレルゲンを分析するときに使用される実施形態１から４６の何れか一項に記載の方法。
【０２０８】
４８．
紅斑の外観を改善する医薬調製物又は美容調製物の能力についてその医薬調製物又は美容調製物を分析するときに使用される実施形態１から４７の何れか一項に記載の方法。
【０２０９】
４９．
対象の皮膚色を分析するためのコンピューターベースの方法であって、
−前記対象の皮膚領域又は粘膜領域又は結合組織領域の光反射率を測定すること、及び
−Ｌ*ａ*ｂ*色空間に従って前記測定のＬ*値及びａ*値を取得すること、及び
−次の式に従って赤色値を算出すること
（Ｌ*max−Ｌ*）×ａ*、及び
−Ｌ*ａ*ｂ色空間に従って前記測定のＬ*値及びｂ*値を取得すること、及び
−次の式に従って黄色値を算出すること
（Ｌ*max−Ｌ*）×ｂ*
を含む前記方法。
【０２１０】
５０．
対象の創傷又は創傷治癒を文書化又は分析するときに使用される実施形態１から４９の何れか一項に記載の方法。
【０２１１】
５１．
前記紅斑値が紅斑の強度に相関し、且つ／又は２つ以上の紅斑値の間の傾きが紅斑の発症に相関する、実施形態１から５０の何れか一項に記載の方法。
【０２１２】
５２．
２つ以上の紅斑値の間での増加が紅斑の進行を表し、２つ以上の紅斑値の間での減少が紅斑の退行を表し、且つ／又は２つ以上の紅斑値の間で傾きが無いことが安定な皮膚状態又は粘膜状態を表す、実施形態１から５１の何れか一項に記載の方法。
【０２１３】
５３．
Ｌ*ａ*ｂ*色空間以外の色空間において前記光反射率を測定し、前記測定の光反射率値をＬ*ａ*ｂ*色空間の対応する値に変換することによってＬ*ａ*ｂ*色空間に従うＬ*値及びａ*値及びｂ*値を取得する、実施形態１から５２の何れか一項に記載の方法。
【０２１４】
５４．
前記紅斑値を基準紅斑値と比較する、実施形態１から５３の何れか一項に記載の方法。
【０２１５】
５５．
対象の皮膚領域又は粘膜領域の光反射率が前記領域の画像を取得することにより測定される、実施形態１から５４の何れか一項に記載の方法。
【０２１６】
５６．
食肉を分析するための方法であって、
−前記食肉の一領域又は前記食肉の切り身全体の光反射率を測定するステップ、
−Ｌ*ａ*ｂ*色空間に従って前記測定のＬ*値及びａ*値を取得するステップ、及び
−次の式に従って赤色値を算出するステップ
（Ｌ*max−Ｌ*）×ａ*
を含む実施形態１から５５の何れか一項に記載の方法。
【０２１７】
５７．
対象の日光黒子又は単純黒子又は悪性黒子又は雀卵斑を分析するときに使用される実施形態１から５６の何れか一項に記載の方法。
【０２１８】
５８．
前記黄色値及び他のあらゆる基準黄色値の算出のために同等の技法が適用される方法であって、
−携帯機器を使用して前記対象の皮膚領域又は粘膜領域又は結合組織領域の光反射率を測定するステップ、及び
−Ｌ*ａ*ｂ色空間に従って前記測定のＬ*値及びｂ*値を取得するステップ、及び
−次の式に従って黄色値を算出するステップ
（Ｌ*max−Ｌ*）×ｂ*
を含む実施形態１から５７の何れか一項に記載の方法。
【０２１９】
５９．
対象の皮膚又は粘膜又は結膜の血腫等級区分及び血腫発症を経時的に文書化及び分析するときに使用される実施形態１から５８の何れか一項に記載の方法。
【０２２０】
６０．
対象の皮膚又は粘膜又は結膜の黄疸等級区分及び黄疸発症を経時的に文書化及び分析するときに使用される実施形態１から５９の何れか一項に記載の方法。
【０２２１】
６１．
対象の皮膚又は粘膜のチアノーゼの程度及びチアノーゼ発症を経時的に文書化及び分析するときに使用される実施形態１から６０の何れか一項に記載の方法。
【０２２２】
６２．
前記携帯機器が臨床サービスシステムにリンクしている、実施形態１から６１の何れか一項に記載の方法。
【０２２３】
６３．
前記携帯機器がタブレット又はスマートフォンである、実施形態１から６２の何れか一項に記載の方法。
【０２２４】
６４．
前記携帯機器が光学式ヘッドマウントディスプレイ付きウェアラブルコンピューターである、実施形態１から６３の何れか一項に記載の方法。
【０２２５】
６５．
前記携帯機器が癌治療用放射線照射機にリンクしている、実施形態１から６４の何れか一項に記載の方法。
【０２２６】
６６．
前記画像の画素毎のＬ*値とａ*値が取得され、前記画像の画素毎の赤色値が算出される、実施形態１から６５の何れか一項に記載の方法。
【０２２７】
６７．
前記画像の画素毎のＬ*値とｂ*値が取得され、前記画像の画素毎の黄色値が算出される、実施形態１から６６の何れか一項に記載の方法。
【０２２８】
６８．
単画素の値に基づく平均色値が算出される、実施形態１から６７の何れか一項に記載の方法。
【０２２９】
６９．
各測定断片領域の平均色値が算出される、実施形態１から６８の何れか一項に記載の方法。
【０２３０】
７０．
前記測定領域が１つ以上の断片領域を含む大領域であり、前記算出値のうちのいずれかが各断片領域について算出される、実施形態１から６９の何れか一項に記載の方法。
【０２３１】
７１．
自動マーカー認識と算出された色値の電光補正のためのカラーコード要素を含む正規化マーカーの同時測定をさらに含む、実施形態１から７０の何れか一項に記載の方法。
【０２３２】
７２．
前記正規化マーカーがステッカー又は絆創膏又はポスターとしてデザインされている、実施形態１から７１の何れか一項に記載の方法。
【０２３３】
７３．
測定された紅斑値の正規化が次の式
（Ｌ*max−Ｌ*）×ａ*／（ａ*max×Ｌ*max）
に従って実行される、実施形態１から７２の何れか一項に記載の方法。
【０２３４】
７４．
測定された緑色値の正規化が次の式
（Ｌ*max−Ｌ*）×ａ*／（ａ*min×Ｌ*max）
に従って実行される、実施形態１から７３の何れか一項に記載の方法。
【０２３５】
７５．
測定された黄色値の正規化が次の式
（Ｌ*max−Ｌ*）×ｂ*／（ｂ*max×Ｌ*max）
に従って実行される、実施形態１から７４の何れか一項に記載の方法。
【０２３６】
７６．
測定された青色値の正規化が次の式
（Ｌ*max−Ｌ*）×ｂ*／（ｂ*min×Ｌ*max）
に従って実行される、実施形態１から７５の何れか一項に記載の方法。
【０２３７】
７７．
対象と取得された前記対象の色値との間の割り振り過程を自動化するために前記対象のバーコード又はクイックレスポンスコード又は近距離タグを検出するステップをさらに含む実施形態１から７６の何れか一項に記載の方法。
【０２３８】
７８．
臨床モニタリング及び医療サービスシステムにおいて使用される実施形態１から７７の何れか一項に記載の方法。
【０２３９】
７９．
携帯電話又はスマートフォン又はタブレットなどの携帯機器を使用して前記測定ステップ及び／又は前記取得ステップ及び／又は前記算出ステップ又はそれらのあらゆる組合せ、特に全てのステップを実施する、実施形態１から７８の何れか一項に記載の方法。
【０２４０】
８０．
前記測定光反射率を好ましくはネットワーク上での伝送により取得することをさらに含む実施形態１から７９の何れか一項に記載の方法。
【０２４１】
８１．
前記光反射率が測定されずに他の方法で取得される、実施形態３８に記載の方法。
【０２４２】
８２．
ウェッブベース又はクラウドベースの処理を用いて前記取得ステップ及び／又は前記算出ステップ、特に前記ステップの全てを実施する、実施形態１から８１の何れか一項に記載の方法。
【実施例】
【０２４３】
実施例１：本発明の方法を用いる臨床第Ｉｂ相治験
リポソーム製剤組換えヒトスーパーオキシドディスムターゼ（ＡＰＮ２０１）を用いる臨床第Ｉｂ相治験は分析された全てのエンドポイントで良好な結果をもたらした。そのパイロット試験は二重プラセボ対照盲検で実施され、乳房温存手術の後に放射線療法（２５〜２８回Ｒｘ分割照射、５０．０Ｇｙ〜５０．４Ｇｙの総線量）を受けた２０名の女性の乳癌患者を含んだ。この試験においてＡＰＮ２０１（ｒｈＳＯＤ、１．６ｍｇ／ｍＬ）の毎日の局所投与は安全であり、よく忍容されることを証明することができ、重大な有害事象又は薬物関連有害事象は報告されなかった。さらに、ＡＰＮ２０１は疼痛、紅斑の強度及び第２級の皮膚炎（上皮融解）が起きるまでの時間に関して有効性の初期兆候を示した。
【０２４４】
患者集団
先に乳房温存手術を受けた組織学的に確認された初期ステージの乳癌を有する２０名の患者が含まれた。その他の参加適格要件は、１８歳以上の年齢、８０％以上のカルノフスキーのパフォーマンスステータス、及びＤカップ以下のブラカップサイズであった。患者が両側乳癌又は炎症性乳癌、癌性リンパ管症、照射領域を冒す医学的に有意な皮膚科学的状態を有している場合、放射線皮膚炎の予防及び／又は治療を目的とする他の薬剤の使用が計画されている場合、患者が放射線皮膚炎を悪化させるかもしれない併用薬を摂取している場合、及び患者が以前の乳房放射線療法歴を有している場合はそれらの患者は除外された。全ての患者が２５〜２８回の放射線（Ｒｘ）分割照射で５０．０〜５０．４Ｇｙの総線量まで標準対向内外側接線野を用いる全乳房照射を受けた。１９名の患者がその試験を完了し、有効性の兆候について分析された。
【０２４５】
治療計画及び臨床評価
ＡＰＮ２０１／プラセボの毎日の局所的薬品投与のために照射領域を縦に２つの対称的な領域に分けることによってスプリットボディーデザインを適用した。これを二重盲検的に１回目の分割照射から始めて全乳房照射の最後（第２５〜２８Ｒｘ分割照射）まで実施した。放射線療法の１０分以上前にジェル（１００ｃｍ2の放射線照射野サイズ当たり１ｍＬ）を薄膜として乳房に塗布した。さらに、放射線療法の後に毎日、放射線照射領域の両方の部分を連続的にベパンテン（登録商標）保湿フォームスプレーで被覆した。放射線療法の開始前のベースラインから始めてＣＴＣＡＥ分類システム第４．０３版に基づいて放射線皮膚炎を評価した。客観的な測定が放射線皮膚炎の臨床評価を反映するか検討するため、治療領域の分光測光測定値とデジタル画像の両方を最初にスクリーニング時に取得し、第６分割照射から第２５又は第２８分割照射まで毎日取得した。それらの分光測光測定値とデジタル画像は前記の日に試験薬品の塗布の前に取得された。安定した光条件及び標準化機器設定でキャノンデジタルカメラＣａｎｏｎパワーショットＧ１２を用いてデジタル写真を撮影した。黒色、白色、３つの異なるモノクロ階調、赤色、緑色、青色、及び黄色を含む色校正カードが異なる画像の比較可能性を改善するための画像校正に使用されている。しかしながら、その色校正カードは全ての画像に存在しなかった。使用されているソフトウェアによって画像の最も高い赤色値が最大赤色値として選択され、前記最大赤色値に対してそれぞれ他の値が正規化される。したがって、画像の中にそのカードが存在する場合にはそのカードの赤色が選択されており、画像の中にそのカードが存在しない場合には画像の最も強い赤が最大赤色値（例えば、患者の皮膚、服等）として使用されている。分光測光測定値について、測定絞り（径８ｍｍ（ＭＡＶ））を適用し、自動校正のスイッチを入れて分光光度計ＣＭ−７００ｄ（コニカミノルタ）を使用した。スプリットボディーデザインに従う内外側領域内の３か所の標準化領域においてシングルスポット測定を実施した。それによって得られたデータセットは２８６２個のシングルポイント測定値を含んだ。各測定はフランスの国際照明委員会（ＣＩＥ）により承認された完全Ｌ*ａ*ｂ*色空間を含む。有効性の客観的な分析のため、我々はそれぞれ個々の患者（０１〜２０）のパラメーターＬ*、ａ*及びｂ*を分割し、各分割照射（０１〜２８）と測定領域（プラセボ／実薬）について平均値を算出した。
【０２４６】
製剤及び組成物
ＡＰＮ２０１はｃＧＭＰに従って製造及び調合されている。原薬（ｒｈＳＯＤ）は特許権が設定されているリポソーム製剤でカプセル化されており、１％のカルボポール９８１ＮＦマトリックス（ｐＨ７．４）からなる親水性ゲル中に混合される（ｍＬ当たり１．６ｍｇのｒｈＳＯＤ）。複数回投与用容器の使用に即してメチルパラベンナトリウムが保存剤として添加される。プラセボはＡＰＮ２０１と同じ濃度のゲル形成性マトリックス（カルボポール９８１ＮＦ）からなるが、空のリポソームを含む。
【０２４７】
生物統計と結果
評価される全ての変数について、実施される統計検査は記述的である。提示されるデータを人口学的特性及びベースライン特性、安全性観察値／測定値及び有効性観察値／測定値に関してまとめた。シングルスポット分光測光により分割照射（０１〜２５）に応じた各患者（ｎ＝１９）の連続的Ｌ*ａ*ｂ*値がもたらされた。パラメーターＬ*、ａ*及びｂ*を別々に分析し、プラセボで処置された皮膚領域と実薬で処置された皮膚領域との間で比較した（図３）。Ｌ*とａ*の平均値は試験期間中の放射線皮膚炎の主観的評価とよく相関したが、ｂ*値に関しては相関が見いだされなかった（図３）。我々は新規の客観的パラメーターである「紅斑値」（ＥＶ）を得るアルゴリズム（１００−Ｌ*）×ａ*によってＬ*とａ*を組み合わせた（図４）。ＡＰＮ２０１／プラセボ処置皮膚領域における第２級以上の等級が発症するまでの時間の最終的な分析によってＡＰＮ２０１の有効性の初期兆候がもたらされた（図５）。
【０２４８】
結果
２０名の患者が登録され、分割放射線療法の間にＡＰＮ２０１とプラセボを受領するように無作為に割り当てられた。２５〜２８回の分割照射で５０．０〜５０．４Ｇｙ（５回×１．８〜２Ｇｙ／週）。
【０２４９】
全ての患者が、年齢の中央値が５８歳（４０〜７２歳の範囲）である白人女性であった。１０名の患者では癌腫が右の乳房に位置し、１０名の患者では左の乳房に位置していた。フィッツパトリックスケールによる最も共通した皮膚のタイプはその集団の６５％における皮膚タイプ３番であり、続いてその集団の２０％における皮膚タイプ２番であった。１名の患者は２型真性糖尿病を有しており、別の患者はバンドエイドに対する接触皮膚炎を有していた。１名の患者はその人の希望により治療を中止し、したがって、治療企図（ＩＴＴ）集団は１９名の患者を含んだ。
【０２５０】
ＩＴＴデータセットを基に全ての有効性変数を評価した。このデータセットは少なくとも１回の試験薬品の塗布を受けた全ての患者を含み、有効性データを提供した。１名の患者だけが第５回分割照射のための来院の後に不承諾のために有効性分析から除外された。したがって、ＩＴＴ集団は１９名の患者を含んだ。
【０２５１】
ＩＴＴ（ｎ＝１９）の最初の分光測光分析によって調査パラメーター、Ｌ*、ａ*、及びｂ*に関して両方のスプリットボディ領域について同等の平均値がもたらされた。我々は治療期間中に平均Ｌ*値の減少傾向と平均ａ*値の上昇傾向を観察し、両方の客観的パラメーターの間の負の相関を明らかにした。このことはａ*値が大きいほど皮膚発赤の強度が高く、Ｌ*値が小さいほど放射線照射治療を受けて皮膚がより暗い色になることを意味する。両方の因子は皮膚炎等級０〜２というＣＴＣ分類の主観的評価と相関する。対照的に、ｂ*値については経時的な重大な変化も観察された皮膚反応との相関も確認できなかった（図３）。
【０２５２】
この結果に基づいて我々はさらにより明確に適合することになるアルゴリズム（１００−Ｌ*）×ａ*を開発することによって関連のパラメーターＬ*とａ*を組み合わせることを決心した。放射線皮膚炎の臨床評価等級（第０〜第２級）との相関におけるこの新規のパラメーターの対応するボックスブロット分析によって等級区分の上昇に付随する紅斑値（ＥＶ）平均の有意な増加が示されている。本ＩＴＴ集団について、４３５．９というＥＶ平均は、観察された第２級の低い発生率（１９名の患者のうちの５名；２６．３％）のために集団全体に対する調査のための治療が終了するまでに達することができなかった第２級の皮膚炎が最初に診断された時点で算出された。この背景ではプラセボ治療領域と実薬治療領域との間の傾向の差異を治療期間中に観察することができなかった。したがって、我々の適用した方法は新規の客観的パラメーターである紅斑値を提供し、それによって紅斑と、したがって、関連した皮膚毒性の客観的な評価が可能になる（図４）。
【０２５３】
さらに、ＡＰＮ２０１／プラセボ治療皮膚領域において第２級以上の等級が発症するまでの時間の分析によってＡＰＮ２０１の有効性の初期兆候がもたらされた。第２級の炎症になるまでの平均時間（放射線分割照射の回数）はプラセボでは２０．５分割照射（１８〜２４回の範囲）でありＡＰＮ２０１では２３．０分割照射（２２〜２４回の範囲）であった。
【０２５４】
驚くべきことに、第０〜第１級の患者と第２級の患者の間での階層化によって平均ＥＶと観察された曲線傾向の明確な差がこれらのサブグループ間で明らかになった（図５）。第０〜第１級を有する患者（ＥＶ１５０）と比較すると第２級を発症した患者についてほぼ２倍高いＥＶの開始値（ＥＶ２９０）を観察することができた。図５では紅斑値が理論的に可能な最大値に対して正規化されている。前記最大値は、この例では最大Ｌ*値が１００であり、最大ａ*値が１２７であることを前提として決定されており、したがって、両方の積が理論的に可能な最大値とされている。測定された全ての紅斑値が前記値に対して正規化されている。
【０２５５】
第３級の紅斑の閾値紅斑値は本試験に含まれない別の患者の主観的に決定された１つの例となる値である。その値は医師によってその患者が第３級であると主観的に初めて診断された日に測定されており、その日は第２６分割照射の日であった。その患者は治験患者と同じ疾患を有し、同じ治療を受けた。
【０２５６】
我々の試験では放射線照射野のサイズ（ｃｍ2）又はフィッツパトリックスケール（１〜２対３〜４）とＣＴＣ第２級との間に相関が観察されなかった。ベースラインでのＥＶ値はＣＴＣ第２級の発症に関連している唯一の統計学的に有意なパラメーター（ｐ＝０．０１５）であることが明らかになった。さらに、放射線照射前のＥＶ値とＣＴＣ第２級の発症の推定される危険性（３００以上のＥＶで７５％以上）の直接的相関を観察することができた。
【０２５７】
考察
我々の観察に基づいて我々はＣＴＣ第２級以上の放射線誘導性皮膚毒性を発症する高い危険性を有する患者を特定することを予め可能にする新規の紅斑値（ＥＶ）パラメーターの導入を考えている。放射線照射の開始時に患者個人のＥＶを測定することは、抗酸化剤を用いる有望な予防的治療、例えば、我々の試験で実施されたＡＰＮ２０１の局所投与を検討するために非常に臨床的に適切である可能性がある。第二に、ＥＶは放射線皮膚炎を発症する危険性が低い患者による試験データの薄弱化を妨げるための有望なスクリーニングパラメーターとして検討されるべきである。
【０２５８】
実施例２：黒色から白色及び赤色までの重複性色勾配
対象の取得された画像の遠隔分析への我々の主唱する紅斑値の適用可能性を証明するため、我々はカラーチャンネル当たり８ビットの色深度（Ｒ／Ｇ／Ｂ）を使用するインシリコ方法によって最も暗い赤色から始まって最も明るい赤色までの赤色勾配を作成した。これはＲＧＢ色空間内の原色Ｒの値を０から２５５まで（８ビット）増加させることによって達成され、その後に一定に保持された。Ｒの増加側では原色Ｇと原色Ｂは両方とも常に０の値を有し、Ｒの一定側ではＧとＢは両方とも０から２５５まで１ステップサイズによって上昇する値を有する。図６Ｂを参照されたい。結果生じる値をＬ*ａ*ｂ*色空間に変換し、図６Ａに表示した。図６の第４シリーズは式（（２５５−Ｌ*）×ａ*）によって算出され、０から２５５までの範囲の比較可能な値を得るために２５５によって除算された対応する紅斑値を示している。図７はＲＧＢとＬ*ａ*ｂ*色空間の全ての値を含む上記の赤色勾配を示している。
【０２５９】
さらに、系統的な等しく派生した技法を用いて対象の皮膚領域又は粘膜領域又は結合組織領域の黄色値の評価、例えば、黄疸疾患の客観的で時間分解的な評価への我々の発明の適用可能性を検査した。我々は黄色カラーチャンネル当たり８ビットの色深度（Ｒ／Ｇ／Ｂ）を使用するインシリコ方法によって暗い黄色（重症の等級の黄疸に観察される黄色がかったビリルビン色素の色を反映している）から始まって明るい黄色までの黄色勾配を作成した。これはＲＧＢ色空間内の原色Ｒの値を０から２５５まで（８ビット）増加させることによって達成され、その後に一定に保持された。Ｒの増加側では原色Ｂは常に０の値を有する。Ｒの一定側ではＢは０から２５５まで１ステップサイズによって上昇する値を有する。原色ＧはＲの増加側で０から始まって０から２５５まで均一に上昇する。図８Ｂを参照されたい。結果生じる値をＬ*ａ*ｂ*色空間に変換し、図８Ａに表示した。図８の第４シリーズは式（（２５５−Ｌ*）×ｂ*）によって算出され、０から２５５までの範囲の比較可能な値を得るために２５５によって除算された対応する紅斑値を示している。図９はＲＧＢとＬ*ａ*ｂ*色空間の全ての値を含む上記の黄色値勾配を示している。
【０２６０】
考察
我々の方法はヒトの眼による皮膚発赤の視覚的認知と一致して広いほぼ線形範囲の算出紅斑値を提供し、我々の開発した方法の技術的実用可能性を証明している。その結果、Ｌ*ａ*ｂ*色空間に従う測定値のＬ*値及びａ*値を取得し、式（Ｌ*max−Ｌ*）×ａ*に従って皮膚赤色値を算出することを含む対応する系統的ステップが、クラウドベースの紅斑評価・文書化プラットフォームに統合するソフトウェアツールの作成によって技術的に切り替えられた。そのソフトウェアツールはさらに対象の皮膚領域又は粘膜領域又は結合組織領域の光反射率を測定するためのあらゆる可動性ソフトウェアアプリケーションにリンクすることが可能である。
【０２６１】
さらに、結果として、派生的計算方法がＬ*値及びｂ*値の取得、及び本発明を対象の他のあらゆる観察色値に対して、例えば、黄疸の場合は黄色がかった色素形成、又は対象の皮膚領域又は粘膜領域又は結合組織領域のチアノーゼ又は血腫の場合は青味がかった色素形成に対してさらに拡張することを可能にし得る式（Ｌ*max−Ｌ*）×ａ*に従う対象の黄色値の算出について主唱された。
【０２６２】
実施例３：第Ｉ相治験においてレンズ状母斑（Ｎａｅｖｕｓ  ｌｅｎｔｉｃｕｌａｒｉｓ）領域の紅斑値を分析するための本発明の方法を組み込んでいるソフトウェアアプリケーションの使用（Ａ）と分析された紅斑値の時間依存的変化（Ｂ）
提供された我々の発明の方法を統合する我々のソフトウェアアプリケーションの能力を検査するため、我々は臨床第Ｉ相治験に付随するこれまでに記載された標準化画像撮影方法によって作成された１４名の異なる対象（男性／女性）の皮膚領域の画像を取得した。その治験は、医薬物質がレンズ状母斑（Ｎａｅｖｕｓ  ｌｅｎｔｉｃｕｌａｒｉｓ）領域を漂白することによって日光黒子の強度を減ずる想定される能力についてその医薬物質の有効性を客観的に評価することを目標とした。したがって、１セット２０個の母斑を１２名の個々の対象において総計で４週間の治療期間にわたって評価した。紅斑分析は局所的皮膚治療の開始前（第１回来院）に撮影された画像から始まり、局所的治療の開始から４週間後の最終日（第４回来院）に終了した。使用されたソフトウェアアプリケーションは標準化画像作成と対象又は対象の分析領域（母斑）に割り振られ得る特定のＱＲコードの認識による対象への作成された画像撮影データの自動割り振りを可能にする幾つかのツールを備える。携帯機器（ｉＰｈｏｎｅ）のソフトウェアプラットフォーム上で我々のアプリケーションを使用することにより、得られた画像を暗号化し、クラウドベースのオンラインプラットフォームにアップロードした。前記ソフトウェアアプリケーションは、対象の測定領域の遠隔紅斑評価とモニタリングをさらに可能にするウェッブベース（クラウドベース）の画像分析・モニタリングプラットフォームに直接的にリンクすることができる。我々の画像文書化・評価プラットフォームに統合されている選択ツールを使用して目的の領域（母斑領域又は基準皮膚領域）をマークした。その後に式（Ｌ*max−Ｌ*）×ａ*に従う本発明の計算方法によって様々な目的の領域の単一紅斑値を算出し、相対的紅斑値を得る式（Ｌ*max−Ｌ*）×ａ*／（ａ*max×Ｌ*max）に従って算出値を自動的に正規化した。そのような相対的紅斑値は最小で０から最大で１までの範囲であり得る。
【０２６３】
考察
図１０Ａの例示的結果によってわかるように、可動性ソフトウェアアプリケーションに統合されている我々の開発した方法を適用することによって正常な外見の皮膚領域（基準）と日光黒子を特徴とする皮膚領域における紅斑値の客観的な遠隔評価が可能になる。撮影された画像を解釈する相談を受けた皮膚科学の専門家の主観的な視覚的認知と一致して、我々の対象における日光黒子の平均強度の減少が日光黒子母斑の局所的薬品治療によって引き起こされないことを驚くべきことに我々の発明の方法によって確認することができた。本明細書において、皮膚発赤（紅斑）値の時間依存的分析によってそのことを証明することができた。図１０Ｂを参照されたい。
【０２６４】
現在発明者が考えている最良の実施形態として上記の実施形態及び例示的分析結果が開示されてきたが、一旦本方法が提供されると本技術分野の当業者は上記の特定の実施形態において例として挙げられた潜在的な用途の範囲を実質的に拡大することができるため、これらの提供された実施例及び提供された例となる分析結果は限定的なものと解釈されるべきではないことが留意されるべきである。
【図１】
0006557210.tif 000003
【図２】
0006557210.tif 000004
【図３Ａ】
0006557210.tif 000005
【図３Ｂ】
0006557210.tif 000006
【図３Ｃ】
0006557210.tif 000007
【図４Ａ】
0006557210.tif 000008
【図４Ｂ】
0006557210.tif 000009
【図５】
0006557210.tif 000010
【図６Ａ】
0006557210.tif 000011
【図６Ｂ】
0006557210.tif 000012
【図７−１】
0006557210.tif 000013
【図７−２】
0006557210.tif 000014
【図７−３】
0006557210.tif 000015
【図７−４】
0006557210.tif 000016
【図７−５】
0006557210.tif 000017
【図７−６】
0006557210.tif 000018
【図７−７】
0006557210.tif 000019
【図７−８】
0006557210.tif 000020
【図７−９】
0006557210.tif 000021
【図７−１０】
0006557210.tif 000022
【図７−１１】
0006557210.tif 000023
【図７−１２】
0006557210.tif 000024
【図８Ａ】
0006557210.tif 000025
【図８Ｂ】
0006557210.tif 000026
【図９−１】
0006557210.tif 000027
【図９−２】
0006557210.tif 000028
【図９−３】
0006557210.tif 000029
【図９−４】
0006557210.tif 000030
【図９−５】
0006557210.tif 000031
【図９−６】
0006557210.tif 000032
【図９−７】
0006557210.tif 000033
【図９−８】
0006557210.tif 000034
【図９−９】
0006557210.tif 000035
【図９−１０】
0006557210.tif 000036
【図９−１１】
0006557210.tif 000037
【図１０Ａ】
0006557210.tif 000038
【図１０Ｂ】
0006557210.tif 000039